(57)【特許請求の範囲】
【請求項１】
拡張現実基盤のショッピング情報提供システムにおいて、
位置情報を含む売場情報を有する売場の画像がオブジェクトとして含まれて、構成された複数の３Ｄパノラマ画像情報のうち、購買端末の位置情報に対応するオブジェクトが含まれた３Ｄパノラマ画像情報を確認して、前記確認された購買端末の位置情報に対応する３Ｄパノラマ画像情報を伝送するサーバ；及び
前記サーバから伝送される前記購買端末の位置情報に対応する３Ｄパノラマ画像情報を予め実行されたアプリの実行結果画面に表示し、前記アプリの実行結果画面に含まれた予め設定された検索項目が選択される時、前記選択された検索項目に対応する検索語を入力されるための検索語入力画面を表示し、ユーザー入力による検索語、予め保存された会員情報、前記購買端末の位置情報及び前記購買端末の識別情報を前記サーバへ伝送する購買端末とを含み、
前記サーバは、
前記複数の３Ｄパノラマ画像情報のうち、前記検索語及び前記購買端末の位置情報に対応する他のオブジェクトが含まれた他の３Ｄパノラマ画像情報を確認して、前記確認された他の３Ｄパノラマ画像情報を前記購買端末へ伝送し、
前記購買端末は、
前記検索語及び前記購買端末の位置情報に対応して前記サーバから伝送される３Ｄパノラマ画像情報が複数である場合、前記購買端末の位置情報を基に複数の３Ｄパノラマ画像情報を、ＰＩＰ機能を介して表示するか、または、画面分割機能を介して表示し、前記検索語に対応する売場である他のオブジェクトを容易に確認するために、前記検索語に対応する他のオブジェクト上に予め設定されたエモーティコン、または、アイコンを表示する機能、前記他のオブジェクトにハイライト効果を提供する機能及び前記他のオブジェクトの外輪郭線を予め設定された色で表示する効果を提供する機能のうち、少なくとも一つの機能を提供し、かつ、
前記サーバから受信したクーポンまたは商品券を保存及び表示し、表示される前記クーポンまたは前記商品券が利用できる一つ以上の売場情報のうち、特定売場情報が選択された場合、前記購買端末の現在位置情報と選択された前記特定売場情報を基に、前記購買端末の現在位置から選択された前記特定売場情報に対応する売場までの道案内情報を生成し、かつ、
生成された前記道案内情報上の経路から予め設定された距離以内に隣接した一つ以上のお勧め情報を生成する
拡張現実基盤のショッピング情報提供システム。
【請求項２】
前記３Ｄパノラマ画像情報は、
特定の位置に予め設置されたカメラを介して撮影される固定型リアルタイム画像情報、移動中の装置に設置されたカメラを介して撮影された移動型録画画像情報及び移動中の装置に設置されたカメラを介して撮影されたリアルタイム画像情報のうち、いずれか一つの録画画像情報、または、リアルタイム画像情報を基に生成された
ことを特徴とする請求項１に記載の拡張現実基盤のショッピング情報提供システム。
【請求項３】
拡張現実基盤のショッピング情報提供システムの制御方法において、
サーバを介して、オフライン上の一つ以上の売場及び前記売場内の商品を含むパノラマ画像情報を生成する段階と；
購買端末を介して、前記購買端末に予め設置されたアプリが実行される時、購買端末の位置情報及び購買端末の識別情報を前記サーバへ伝送する段階と；
前記サーバを介して、位置情報を含む売場情報を有する売場の画像がオブジェクトとして含まれ、構成された複数の３Ｄパノラマ画像情報のうち、前記購買端末の位置情報に対応するオブジェクトが含まれた３Ｄパノラマ画像情報を確認し、前記確認した購買端末の位置情報に対応する３Ｄパノラマ画像情報を前記購買端末へ伝送する段階と；
前記購買端末を介して、前記サーバから伝送される前記購買端末の位置情報に対応する３Ｄパノラマ画像情報を予め実行されたアプリの実行結果画面に表示する段階と；
前記購買端末を介して、前記アプリの実行結果画面に含まれた予め設定された検索項目が選択される時、前記選択された検索項目に対応する検索語を入力されるための検索語入力画面を表示する段階と；
前記購買端末を介して、ユーザー入力による検索語、予め保存された会員情報、前記購買端末の位置情報及び前記購買端末の識別情報を前記サーバへ伝送する段階と；
前記サーバを介して、前記予め保存された複数の３Ｄパノラマ画像情報のうち、前記検索語及び前記購買端末の位置情報に対応する他のオブジェクトが含まれた他の３Ｄパノラマ画像情報を前記購買端末へ伝送する段階と；
前記購買端末を介して、前記検索語及び前記購買端末の位置情報に対応して前記サーバから伝送される他の３Ｄパノラマ画像情報を表示する段階；及び
前記購買端末を介して、前記サーバから受信したクーポンまたは商品券を保存及び表示し、表示される前記クーポンまたは前記商品券が利用できる一つ以上の売場情報のうち、特定売場情報が選択された場合、前記購買端末の現在位置情報と選択された前記特定売場情報を基に、前記購買端末の現在位置から選択された前記特定売場情報に対応する売場までの道案内情報を生成し、生成された前記道案内情報上の経路から予め設定された距離以内に隣接した一つ以上のお勧め情報を生成する段階を含み、
前記他の３Ｄパノラマ画像情報を表示する段階は、
前記検索語及び前記購買端末の位置情報に対応して前記サーバから伝送される３Ｄパノラマ画像情報が複数である場合、前記購買端末の位置情報を基に複数の３Ｄパノラマ画像情報を、ＰＩＰ機能を介して表示するか、または、画面分割機能を介して表示し、前記検索語に対応する売場である他のオブジェクトを容易に確認するために、前記検索語に対応する他のオブジェクト上に予め設定されたエモーティコン、または、アイコンを表示する機能、前記他のオブジェクトにハイライト効果を提供する機能及び前記他のオブジェクトの外輪郭線を予め設定された色で表示する効果を提供する機能のうち、少なくとも一つの機能を提供する
拡張現実基盤のショッピング情報提供システムの制御方法。
【請求項４】
前記パノラマ画像情報を生成する段階は、
前記サーバを介して、複数のカメラを介してオフライン上の一つ以上の売場及び前記売場内の商品を含む第１画像及び第２画像を各々撮影する過程と；
前記サーバを介して、前記撮影された第１画像及び第２画像においてピクセルの方向性を基準として前記第１画像及び第２画像が重畳される重畳領域を獲得する過程と；
前記サーバを介して、前記獲得された重畳領域を基準として、前記第１画像及び第２画像を合成してパノラマ画像を生成する過程と；
前記サーバを介して、前記パノラマ画像内に含まれた一つ以上のオブジェクトを各々認識する過程と；
前記サーバを介して、前記認識された一つ以上のオブジェクトに該当する売場で利用可能の一つ以上のクーポン及び商品券を確認する過程；及び
前記サーバを介して、前記パノラマ画像と前記確認されたオブジェクトで利用可能の一つ以上のクーポン及び商品券を連動して保存する過程を含む
ことを特徴とする請求項３に記載の拡張現実基盤のショッピング情報提供システムの制御方法。
【請求項５】
前記サーバを介して、位置情報を含む売場情報を有する売場の画像がオブジェクトとして含まれ、構成された複数の３Ｄパノラマ画像情報のうち、前記購買端末の位置情報に対応するオブジェクトが含まれた３Ｄパノラマ画像情報を確認し、前記確認した購買端末の位置情報に対応する３Ｄパノラマ画像情報と連動して保存された前記３Ｄパノラマ画像情報内に含まれた少なくとも一つのオブジェクトに関する少なくとも一つのクーポン及び商品券における情報を確認し、前記少なくとも一つのクーポン及び商品券における優先順位情報を確認する段階と；
前記購買端末を介して、前記サーバから伝送される前記購買端末の位置情報に対応する３Ｄパノラマ画像情報、前記３Ｄパノラマ画像情報と連動される少なくとも一つのクーポン及び商品券における情報及び前記少なくとも一つのクーポン及び商品券における優先順位情報を受信する段階と；
前記購買端末を介して、前記受信された前記購買端末の位置情報に対応する３Ｄパノラマ画像情報と前記受信された３Ｄパノラマ画像情報と連動される少なくとも一つのクーポン及び商品券における情報を表示する段階と；
前記購買端末を介して、前記表示される少なくとも一つのクーポン及び商品券における情報のうち、特定のクーポン、または、特定商品券が選択される時、前記選択された特定のクーポン、または、特定商品券が利用できる少なくとも一つの売場における売場情報を、拡張現実機能を用いて表示する段階；及び
前記購買端末を介して、前記表示される少なくとも一つの売場における売場情報のうち、特定売場情報が選択される時、前記サーバから発行される前記選択された特定のクーポン、または、特定商品券を保存する段階を含み、
前記サーバから発行される前記選択された特定のクーポン、または、特定商品券を保存する段階は、
前記購買端末を介して、前記特定商品券が選択される時、前記サーバと決済サーバと販売端末との間の連動によって前記特定商品券における決済機能を遂行し、決済機能が正常的に完了される時、前記サーバから発行される前記特定商品券を保存する
請求項３に記載の拡張現実基盤のショッピング情報提供システムの制御方法。
【請求項６】
前記受信された３Ｄパノラマ画像情報と連動される少なくとも一つのクーポン及び商品券における情報を表示する段階は、
前記受信された少なくとも一つのクーポン及び商品券における優先順位情報を基に前記受信された３Ｄパノラマ画像情報と連動される少なくとも一つのクーポン及び商品券における情報のうち、一部を表示する
ことを特徴とする請求項５に記載の拡張現実基盤のショッピング情報提供システムの制御方法。
【請求項７】
前記サーバから発行される前記選択された特定のクーポン、または、特定商品券を保存する段階は、
前記購買端末を介して、前記特定のクーポンが選択される時、前記サーバから発行される前記特定のクーポンを保存する
ことを特徴とする請求項５に記載の拡張現実基盤のショッピング情報提供システムの制御方法。
【発明の詳細な説明】
【技術分野】
【０００１】
本発明は、拡張現実基盤のショッピング情報提供システム及びその制御方法に関する。特に、商品が陳列された売場を含むショッピングモールや売場が位置する街におけるロードビュー（ｒｏａｄ  ｖｉｅｗ）上の画像情報に探したいオブジェクトを検索すると、前記検索されたオブジェクトに対応する商品やサービスが存在する当該画像情報を表示する拡張現実基盤のショッピング情報提供システム及びその制御方法に関する。
【背景技術】
【０００２】
パノラマ画像は、被写体に関する多数の画像が合成してなった画像を意味する。
このようなパノラマ画像がインターネットショッピングモールに適用される場合、オフラインの状況をオンライン上の仮想現実で具現し、パノラマ画像に含まれた商品や売場などにおけるが概略的情報を提供するに止まり、仮想現実で具現されたオフラインで提供する情報をちゃんと提供できていない。
【先行技術文献】
【特許文献】
【０００３】
【特許文献１】韓国公開特許第１０−２０１３−００８４２７４号公報[名称:３次元仮想現実インターネットショッピングモール]
【発明の開示】
【発明が解決しようとする課題】
【０００４】
本発明の目的は、商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示する拡張現実基盤のショッピング情報提供システム及びその制御方法を提供することにある。
【０００５】
本発明の他の目的は、商品が陳列された売場を含むショッピングモールや売場が位置する街におけるロードビュー上の画像情報に当該画像情報内に含まれた売場で利用可能のクーポンや商品券を表示し、前記クーポンや商品券が選択される時、前記クーポンや商品券が使える一つ以上の売場を表示して当該クーポンを端末に発行するか、当該商品券における決済機能を遂行した後、決済完了した当該商品券を前記端末に発行する拡張現実基盤のショッピング情報提供システム及びその制御方法を提供することにある。
【課題を解決するための手段】
【０００６】
本発明の実施例による拡張現実基盤のショッピング情報提供システムは、拡張現実基盤のショッピング情報提供システムにおいて、複数の３Ｄパノラマ画像情報のうち、購買端末の位置情報に対応する３Ｄパノラマ画像情報を確認して、前記確認された購買端末の位置情報に対応する３Ｄパノラマ画像情報を伝送するサーバ；及び前記サーバから伝送される前記購買端末の位置情報に対応する３Ｄパノラマ画像情報を予め実行されたアプリの実行結果画面に表示し、前記アプリの実行結果画面に含まれた予め設定された検索項目が選択される時、前記選択された検索項目に対応する検索語を入力されるための検索語入力画面を表示し、ユーザー入力による検索語、予め保存された会員情報、前記購買端末の位置情報及び前記購買端末の識別情報を前記サーバへ伝送する購買端末を含むことができる。
【０００７】
本発明に関する一例をあげると、前記３Ｄパノラマ画像情報は、特定の位置に予め設置されたカメラを介して撮影される固定型リアルタイム画像情報、移動中の装置に設置されたカメラを介して撮影された移動型録画画像情報及び移動中の装置に設置されたカメラを介して撮影されたリアルタイム画像情報のうち、いずれか一つの録画画像情報、または、リアルタイム画像情報を基に生成されることができる。
本発明に関する一例をあげると、前記サーバは、前記複数の３Ｄパノラマ画像情報のうち、前記検索語及び前記購買端末の位置情報に対応する他の３Ｄパノラマ画像情報を確認し、前記確認された他の３Ｄパノラマ画像情報を前記購買端末に伝送することができる。
【０００８】
本発明に関する一例をあげると、前記購買端末は、前記検索語及び前記購買端末の位置情報に対応して前記サーバから伝送される３Ｄパノラマ画像情報が複数である場合、前記購買端末の位置情報を基に複数の３Ｄパノラマ画像情報を、ＰＩＰ機能を介して表示するか、または画面分割機能を介して表示することができる。
【０００９】
本発明の実施例による拡張現実基盤のショッピング情報提供システムは、拡張現実基盤のショッピング情報提供システムにおいて、複数の３Ｄパノラマ画像情報のうち、購買端末の位置情報に対応する３Ｄパノラマ画像情報を確認し、前記確認された購買端末の位置情報に対応する３Ｄパノラマ画像情報と連動して保存された前記３Ｄパノラマ画像情報内に含まれた少なくとも一つのオブジェクトに関する少なくとも一つのクーポン及び商品券における情報を確認し、前記少なくとも一つのクーポン及び商品券における優先順位情報を確認して、前記確認された購買端末の位置情報に対応する３Ｄパノラマ画像情報、前記確認された３Ｄパノラマ画像情報と連動される少なくとも一つのクーポン及び商品券における情報、前記確認された少なくとも一つのクーポン及び商品券における優先順位情報を伝送するサーバ；及び前記サーバから伝送される前記購買端末の位置情報に対応する３Ｄパノラマ画像情報、前記３Ｄパノラマ画像情報と連動される少なくとも一つのクーポン及び商品券における情報及び前記少なくとも一つのクーポン及び商品券における優先順位情報を受信し、前記受信された前記購買端末の位置情報に対応する３Ｄパノラマ画像情報と前記受信された３Ｄパノラマ画像情報と連動される少なくとも一つのクーポン及び商品券における情報を表示し、前記表示される少なくとも一つのクーポン及び商品券における情報のうち、特定のクーポン、または、特定商品券が選択される時、前記選択された特定のクーポン、または、特定商品券が利用できる少なくとも一つの売場における売場情報を拡張現実機能を用いて表示する購買端末を含むことができる。
【００１０】
本発明に関する一例をあげると、前記購買端末は、前記受信された少なくとも一つのクーポン及び商品券における優先順位情報を基に前記受信された３Ｄパノラマ画像情報と連動される少なくとも一つのクーポン及び商品券における情報のうち、一部を表示することができる。
【００１１】
本発明に関する一例をあげると、前記購買端末は、前記特定のクーポンが選択される時、前記サーバから発行される前記特定のクーポンを保存し、前記特定商品券が選択される時、前記サーバと決済サーバと販売端末との間の連動によって前記特定商品券における決済機能を遂行し、決済機能が正常的に完了される時、前記サーバから発行される前記特定商品券を保存することができる。
【００１２】
本発明の実施例による拡張現実基盤のショッピング情報提供システムの制御方法は、拡張現実基盤のショッピング情報提供システムの制御方法において、サーバを介して、オフライン上の一つ以上の売場及び前記売場内の商品を含むパノラマ画像情報を生成する段階と；購買端末を介して、前記購買端末に予め設置されたアプリが実行される時、購買端末の位置情報及び購買端末の識別情報を前記サーバへ伝送する段階と；前記サーバを介して、予め保存された複数の３Ｄパノラマ画像情報のうち、前記購買端末の位置情報に対応する３Ｄパノラマ画像情報を確認して、前記確認された購買端末の位置情報に対応する３Ｄパノラマ画像情報を前記購買端末へ伝送する段階と；前記購買端末を介して、前記サーバから伝送される前記購買端末の位置情報に対応する３Ｄパノラマ画像情報を予め実行されたアプリの実行結果画面に表示する段階と；前記購買端末を介して、前記アプリの実行結果画面に含まれた予め設定された検索項目が選択される時、前記選択された検索項目に対応する検索語を入力されるための検索語入力画面を表示する段階と；前記購買端末を介して、ユーザー入力による検索語、予め保存された会員情報、前記購買端末の位置情報及び前記購買端末の識別情報を前記サーバへ伝送する段階と；前記サーバを介して、前記予め保存された複数の３Ｄパノラマ画像情報のうち、前記検索語及び前記購買端末の位置情報に対応する他の３Ｄパノラマ画像情報を前記購買端末へ伝送する段階；及び前記購買端末を介して、前記検索語及び前記購買端末の位置情報に対応して前記サーバから伝送される他の３Ｄパノラマ画像情報を表示する段階とを含むことができる。
【００１３】
本発明に関する一例をあげると、前記パノラマ画像情報を生成する段階は、前記サーバを介して、複数のカメラを介してオフライン上の一つ以上の売場及び前記売場内の商品を含む第１画像及び第２画像を各々撮影する過程と；前記サーバを介して、前記撮影された第１画像及び第２画像においてピクセルの方向性を基準として前記第１画像及び第２画像が重畳される重畳領域を獲得する過程と；前記サーバを介して、前記獲得された重畳領域を基準として、前記第１画像及び第２画像を合成して、パノラマ画像を生成する過程と；前記サーバを介して、前記パノラマ画像内に含まれた一つ以上のオブジェクトを各々認識する過程と；前記サーバを介して、前記認識された一つ以上のオブジェクトに該当する売場で利用可能の一つ以上のクーポン及び商品券を確認する過程；及び前記サーバを介して、前記パノラマ画像と前記確認されたオブジェクトで利用可能の一つ以上のクーポン及び商品券を連動して保存する過程とを含むことができる。
【００１４】
本発明に関する一例をあげると、前記他の３Ｄパノラマ画像情報を表示する段階は、前記検索語及び前記購買端末の位置情報に対応して前記サーバから伝送される３Ｄパノラマ画像情報が複数である場合、前記購買端末の位置情報を基に複数の３Ｄパノラマ画像情報を、ＰＩＰ機能を介して表示するか、または、画面分割機能を介して表示することができる。
【００１５】
本発明の実施例による拡張現実基盤のショッピング情報提供システムの制御方法は、拡張現実基盤のショッピング情報提供システムの制御方法において、サーバを介して、オフライン上の一つ以上の売場及び前記売場内の商品を含むパノラマ画像情報を生成する段階と；購買端末を介して、前記購買端末に予め設置されたアプリが実行される時、購買端末の位置情報及び購買端末の識別情報を前記サーバへ伝送する段階と；前記サーバを介して、予め保存された複数の３Ｄパノラマ画像情報のうち、前記購買端末の位置情報に対応する３Ｄパノラマ画像情報を確認し、前記確認された購買端末の位置情報に対応する３Ｄパノラマ画像情報と連動して保存された前記３Ｄパノラマ画像情報内に含まれた少なくとも一つのオブジェクトに関する少なくとも一つのクーポン及び商品券における情報を確認し、前記少なくとも一つのクーポン及び商品券における優先順位情報を確認する段階と；前記購買端末を介して、前記サーバから伝送される前記サーバから伝送される前記購買端末の位置情報に対応する３Ｄパノラマ画像情報、前記３Ｄパノラマ画像情報と連動される少なくとも一つのクーポン及び商品券における情報及び前記少なくとも一つのクーポン及び商品券における優先順位情報を受信する段階と；前記購買端末を介して、前記受信された前記購買端末の位置情報に対応する３Ｄパノラマ画像情報と前記受信された３Ｄパノラマ画像情報と連動される少なくとも一つのクーポン及び商品券における情報を表示する段階と；前記購買端末を介して、前記表示される少なくとも一つのクーポン及び商品券における情報のうち、特定のクーポン、または、特定商品券が選択される時、前記選択された特定のクーポン、または、特定商品券が利用できる少なくとも一つの売場における売場情報を、拡張現実機能を用いて表示する段階；及び前記購買端末を介して、前記表示される少なくとも一つの売場における売場情報のうち、特定売場情報が選択される時、前記サーバから発行される前記選択された特定のクーポン、または、特定商品券を保存する段階とを含むことができる。
【００１６】
本発明に関する一例をあげると、前記受信された３Ｄパノラマ画像情報と連動される少なくとも一つのクーポン及び商品券における情報を表示する段階は、前記受信された少なくとも一つのクーポン及び商品券における優先順位情報を基に前記受信された３Ｄパノラマ画像情報と連動される少なくとも一つのクーポン及び商品券における情報のうち、一部を表示することができる。
【００１７】
本発明に関する一例をあげると、前記サーバから発行される前記選択された特定のクーポン、または、特定商品券を保存する段階は、前記購買端末を介して、前記特定のクーポンが選択される時、前記サーバから発行される前記特定のクーポンを保存する過程；及び前記購買端末を介して、前記特定商品券が選択される時、前記サーバと決済サーバと販売端末との間の連動によって前記特定商品券における決済機能を遂行し、決済機能が正常的に完了される時、前記サーバから発行される前記特定商品券を保存する過程を含むことができる。
【発明の効果】
【００１８】
本発明は、商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示することによって、実際のデパート、ショッピングモール、街などで見るビューをそのまま提供しながら、オフラインで提供する商品や売場に関する付加的情報を簡単で便利に検索、及び検索結果を確認することができる効果がある。
【００１９】
また、本発明は、商品が陳列された売場を含むショッピングモールや売場が位置する街におけるロードビュー上の画像情報に当該画像情報内に含まれた売場で利用可能のクーポンや商品券を表示し、前記クーポンや商品券が選択される時、前記クーポンや商品券が使える一つ以上の売場を表示して当該クーポンを端末に発行するか、当該商品券における決済機能を遂行した後、決済完了した当該商品券を前記端末に発行することによって、ユーザーの便宜性及び満足感を向上させ、事業主の売上を上げることができる効果がある。
【図面の簡単な説明】
【００２０】
【図１】は、本発明の実施例による拡張現実基盤のショッピング情報提供システムの構成を示したブロック図である。
【図２】は、本発明の第１実施例による拡張現実基盤のショッピング情報提供システムの制御方法を示した流れ図である。
【図３】本発明の実施例による購買端末の画面を示した図である。
【図４】本発明の実施例による購買端末の画面を示した図である。
【図５】本発明の実施例による購買端末の画面を示した図である。
【図６】本発明の実施例による購買端末の画面を示した図である。
【図７】本発明の実施例による購買端末の画面を示した図である。
【図８】本発明の実施例による購買端末の画面を示した図である。
【図９】本発明の第２実施例による拡張現実基盤のショッピング情報提供システムの制御方法を示した流れ図である。
【図１０】本発明の実施例による購買端末の画面を示した図である。
【図１１】本発明の実施例による購買端末の画面を示した図である。
【図１２】本発明の実施例によるポップアップ画面で第３売場情報と第５売場情報を表示した画面を示した図である。
【図１３】本発明の実施例による第１形成外科における売場情報と第２形成外科における売場情報を表示した画面を示した図である。
【発明を実施するための形態】
【００２１】
本発明で使われる技術的用語は、特定の実施例を説明するためのみに使われるものであり、本発明を限定しようとする意図ではないということに注意すべきである。また、本発明で使われる技術的用語は、本発明で特に違う意味で定義されない限り、本発明の属する技術分野で通常の知識を有する者によって一般的に理解される意味と解釈されるべきであり、過度に包括的意味と解釈されたり、過度に縮小した意味で解釈されたりしてはならない。また、本発明で使われる技術的用語が本発明の事象を正確に表現しない間違った技術的用語である時には、当業者が正しく理解することのできる技術的用語と取り替えて理解されるべきである。また、本発明で使われる一般的用語は、辞典に定義されているところによって、または、前後の文脈上によって解釈されるべきであって、過度に縮小された意味と解釈されるべきではない。
【００２２】
また、本発明で使われる単数の表現は、文脈上明らかに違う意味を有しない限り、複数の表現を含む。本発明で「構成される」、または、「含む」などの用語は、発明に記載された様々な構成要素等、または、様々な段階を必ず全部含むと解釈されるべきではなく、そのうち、一部の構成要素等、または、一部の段階等は含まれないこともあるし、または、追加的構成要素、または、段階等をさらに含むことができると解釈されるべきである。
【００２３】
また、本発明で使われる第１、第２などのように序数を含む用語は、構成要素等を説明することに使われることができるが、構成要素等は、用語等によって限定されてはならない。用語等は、一つの構成要素を他の構成要素から区別する目的のみとして使われる。例えば、本発明の権利範囲を外れないままで第１構成要素は第２構成要素と命名されることがあり、類似に第２構成要素も第１構成要素と命名されることもある。
【００２４】
以下、添付の図面を参照して本発明による好ましい実施例を詳しく説明し、図面符号に関係なく同一か類似な構成要素は同一の参照番号を与え、これに関する重複する説明は省略する。
【００２５】
また、本発明を説明することにおいて、関連公知技術における具体的説明が本発明の要旨を濁すと判断される場合、その詳細な説明を省略する。また、添付の図面は、本発明の事象を簡単に理解できるようにするためのものであり、添付の図面によって本発明の事象が制限されると解釈されてはならないことを注意すべきである。
【００２６】
図１は、本発明の実施例による拡張現実基盤のショッピング情報提供システム(１０)の構成を示したブロック図である。
【００２７】
図１に図示したように、拡張現実基盤のショッピング情報提供システム（１０）は、サーバ（１００）、購買端末（２００）、決済サーバ（３００）及び販売端末（４００）で構成される。図１に図示された拡張現実基盤のショッピング情報提供システム（１０）の構成要素の全てが必須構成要素であるのではなく、図１に図示された構成要素より多い構成要素によって拡張現実基盤のショッピング情報提供システム（１０）が具現されることもできて、それより少ない構成要素によっても拡張現実基盤のショッピング情報提供システム（１０）が具現できることもある。
【００２８】
前記購買端末（２００）及び／または前記販売端末（４００）は、スマートフォン（Ｓｍａｒｔ  Ｐｈｏｎｅ）、携帯端末機（Ｐｏｒｔａｂｌｅ  Ｔｅｒｍｉｎａｌ）、移動端末機（Ｍｏｂｉｌｅ  Ｔｅｒｍｉｎａｌ）、個人情報端末機（Ｐｅｒｓｏｎａｌ  Ｄｉｇｉｔａｌ  Ａｓｓｉｓｔａｎｔ：ＰＤＡ）、ＰＭＰ（Ｐｏｒｔａｂｌｅ  Ｍｕｌｔｉｍｅｄｉａ  Ｐｌａｙｅｒ）端末機、テレマティクス（Ｔｅｌｅｍａｔｉｃｓ）端末機、ナビゲーション（Ｎａｖｉｇａｔｉｏｎ）端末機、パーソナルコンピュータ（Ｐｅｒｓｏｎａｌ  Ｃｏｍｐｕｔｅｒ）、ノート型パーソナルコンピュータ、スレートＰＣ（Ｓｌａｔｅ  ＰＣ）、タブレットＰＣ（Ｔａｂｌｅｔ  ＰＣ）、ウルトラブック（ｕｌｔｒａｂｏｏｋ）、ウェアラブルデバイス（Ｗｅａｒａｂｌｅ  Ｄｅｖｉｃｅ、例えば、腕時計型端末機（Ｓｍａｒｔｗａｔｃｈ）、メガネ型端末機（Ｓｍａｒｔ  Ｇｌａｓｓ）、ＨＭＤ（Ｈｅａｄ  Ｍｏｕｎｔｅｄ  Ｄｉｓｐｌａｙ）などを含む)、ワイブロ（Ｗｉｂｒｏ）端末機、ＩＰＴＶ（Ｉｎｔｅｒｎｅｔ  Ｐｒｏｔｏｃｏｌ  Ｔｅｌｅｖｉｓｉｏｎ）端末機、スマートテレビ、デジタル放送用端末機、ＡＶＮ（Ａｕｄｉｏ  Ｖｉｄｅｏ  Ｎａｖｉｇａｔｉｏｎ）端末機、Ａ／Ｖ（Ａｕｄｉｏ／Ｖｉｄｅｏ）システム、フレキシブル端末機（Ｆｌｅｘｉｂｌｅ  Ｔｅｒｍｉｎａｌ）などのような様々な端末機に適用できる。
【００２９】
ここで、前記販売端末（４００）は、売場に具備するＰＯＳ（Ｐｏｉｎｔ  ｏｆ  Ｓａｌｅｓ）端末などであることもある。
【００３０】
また、前記サーバ（１００）、前記購買端末（２００）、前記決済サーバ（３００）及び前記販売端末（４００）は、各々有／無線通信網を介して内部の任意の構成要素または、外部の任意の少なくとも一つの端末機と通信連結するために通信部を含むことができる。
【００３１】
ここで、無線インターネット技術としては無線ＬＡＮ（Ｗｉｒｅｌｅｓｓ  ＬＡＮ：ＷＬＡＮ）、ワイブロ（Ｗｉｒｅｌｅｓｓ  Ｂｒｏａｄｂａｎｄ：Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＩＥＥＥ８０２．１６、ロングタームエボリューション（Ｌｏｎｇ  Ｔｅｒｍ  Ｅｖｏｌｕｔｉｏｎ：ＬＴＥ）、ブロードバンド無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）などが含まれることができる。
【００３２】
また、近距離通信技術としては、ブルートゥース（Ｂｌｕｅｔｏｏｔｈ（登録商標））、ワイファイ（Ｗｉ−Ｆｉ）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ  Ｗｉｄｅｂａｎｄ）、ジグビー（ＺｉｇＢｅｅ）、近接場型の無線通信（Ｎｅａｒ  Ｆｉｅｌｄ  Ｃｏｍｍｕｎｉｃａｔｉｏｎ：ＮＦＣ）、超音波通信（Ｕｌｔｒａ  Ｓｏｕｎｄ  Ｃｏｍｍｕｎｉｃａｔｉｏｎ：ＵＳＣ）、可視光通信（Ｖｉｓｉｂｌｅ  Ｌｉｇｈｔ  Ｃｏｍｍｕｎｉｃａｔｉｏｎ：ＶＬＣ）、ＢＬＥ（Ｂｌｕｅｔｏｏｔｈ（登録商標）  Ｌｏｗ  Ｅｎｅｒｇｙ）などが含まれることができる。また、有線通信技術としては、電力線通信（Ｐｏｗｅｒ  Ｌｉｎｅ  Ｃｏｍｍｕｎｉｃａｔｉｏｎ：ＰＬＣ）、ＵＳＢ通信、イーサネット（登録商標）（Ｅｔｈｅｒｎｅｔ（登録商標））、シリアル通信（ｓｅｒｉａｌ  ｃｏｍｍｕｎｉｃａｔｉｏｎ）、光／同軸ケーブルなどが含まれることができる。
【００３３】
また、前記通信部は、ユニバーサルシリアルバス（Ｕｎｉｖｅｒｓａｌ  Ｓｅｒｉａｌ  Ｂｕｓ：ＵＳＢ）を介して任意の端末と情報を相互伝送することができる。
【００３４】
また、前記通信部は、移動通信のための技術標準等、または、通信方式｛例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（登録商標）（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）など｝によって構築された移動通信網上で基地局、前記購買端末（２００）、前記サーバ（１００）、前記決済サーバ（３００）及び前記販売端末（４００）などと無線信号を送受信する。
【００３５】
また、前記サーバ（１００）、前記購買端末（２００）、前記決済サーバ（３００）及び前記販売端末（４００）は、各々保存部を含むことができる。ここで、前記保存部は、様々なユーザーインタフェース（Ｕｓｅｒ  Ｉｎｔｅｒｆａｃｅ：ＵＩ）、グラフィックユーザーインタフェース（Ｇｒａｐｈｉｃ  Ｕｓｅｒ  Ｉｎｔｅｒｆａｃｅ：ＧＵＩ）などを保存する。
【００３６】
また、前記保存部は、前記サーバ（１００）、前記購買端末（２００）、前記決済サーバ（３００）及び前記販売端末（４００）が各々動作するに必要なデータとプログラムなどを保存する。
【００３７】
即ち、前記保存部は、前記サーバ（１００）、前記購買端末（２００）、前記決済サーバ（３００）及び前記販売端末（４００）で駆動される多数の応用プログラム｛ａｐｐｌｉｃａｔｉｏｎ  ｐｒｏｇｒａｍ、または、アプリケーション（ａｐｐｌｉｃａｔｉｏｎ）｝、前記サーバ（１００）、前記購買端末（２００）、前記決済サーバ（３００）及び前記販売端末（４００）の動作のためのデータ等、命令語等を保存することができる。
【００３８】
このような応用プログラムのうち、少なくとも一部は、無線通信を介して外部サーバからダウンロードすることができる。
また、このような応用プログラムのうち、少なくとも一部は、前記サーバ（１００）、前記購買端末（２００）、前記決済サーバ（３００）及び前記販売端末（４００）の基本的機能（例えば、電話着信、発信機能、メッセージ受信、発信機能）のために出庫当時から前記サーバ（１００）、前記購買端末（２００）、前記決済サーバ（３００）及び前記販売端末（４００）上に存在することができる。
【００３９】
一方、応用プログラムは、前記保存部に保存され、前記サーバ（１００）、前記購買端末（２００）、前記決済サーバ（３００）及び前記販売端末（４００）に各々設置され、制御部（未図示）によって前記サーバ（１００）、前記購買端末（２００）、前記決済サーバ（３００）及び前記販売端末（４００）の各々の動作（または機能）を遂行するように駆動することができる。
【００４０】
また、前記保存部は、フラッシュメモリタイプ（Ｆｌａｓｈ  Ｍｅｍｏｒｙ  Ｔｙｐｅ）、ハードディスクタイプ（Ｈａｒｄ  Ｄｉｓｋ  Ｔｙｐｅ）、マルチメディアカードマイクロタイプ（Ｍｕｌｔｉｍｅｄｉａ  Ｃａｒｄ  Ｍｉｃｒｏ  Ｔｙｐｅ）、カードタイプのメモリ（例えば、ＳＤ、または、ＸＤメモリなど)、磁気メモリ、磁気ディスク、光ディスク、ラム（Ｒａｎｄｏｍ  Ａｃｃｅｓｓ  Ｍｅｍｏｒｙ：ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ−Ｏｎｌｙ  Ｍｅｍｏｒｙ：ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）のうち、少なくとも一つの記憶媒体を含むことができる。
【００４１】
また、前記サーバ（１００）、前記購買端末（２００）、前記決済サーバ（３００）及び前記販売端末（４００）は、インターネット（ｉｎｔｅｒｎｅｔ）上で保存部の保存機能を遂行するウェブストレージ（ｗｅｂ  ｓｔｏｒａｇｅ）を運営するか、または、前記ウェブストレージと関連して動作することもできる。
【００４２】
また、前記サーバ（１００）、前記購買端末（２００）、前記決済サーバ（３００）及び前記販売端末（４００）は、各々表示部を含むことができる。
ここで、前記表示部は、液晶ディスプレイ（Ｌｉｑｕｉｄ  Ｃｒｙｓｔａｌ  Ｄｉｓｐｌａｙ：ＬＣＤ）、薄膜トランジスタ液晶ディスプレイ（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ：ＴＦＴ−ＬＣＤ）、有機発光ダイオード（Ｏｒｇａｎｉｃ  Ｌｉｇｈｔ−Ｅｍｉｔｔｉｎｇ  Ｄｉｏｄｅ：ＯＬＥＤ）、フレキシブルディスプレイ（Ｆｌｅｘｉｂｌｅ  Ｄｉｓｐｌａｙ）、３次元ディスプレイ（３Ｄ  Ｄｉｓｐｌａｙ）、イーインクディスプレイ（ｅ−ｉｎｋ  ｄｉｓｐｌａｙ）、ＬＥＤ（Ｌｉｇｈｔ  Ｅｍｉｔｔｉｎｇ  Ｄｉｏｄｅ）のうち、少なくとも一つを含むことができる。また、前記表示部は、タッチスクリーンであることもある。
【００４３】
また、前記サーバ（１００）、前記購買端末（２００）、前記決済サーバ（３００）及び前記販売端末（４００）は、各々音声出力部を含むことができる。
ここで、前記音声出力部は、前記制御部の制御によって所定信号処理された信号に含まれた音声情報を出力する。
ここで、前記音声出力部には、レシーバー（ｒｅｃｅｉｖｅｒ）、スピーカー（ｓｐｅａｋｅｒ）、ブザー（ｂｕｚｚｅｒ）などが含まれることができる。
【００４４】
また、前記音声出力部は、前記制御部によって生成された案内音声を出力する。
【００４５】
また、前記サーバ（１００）、前記購買端末（２００）、前記決済サーバ（３００）及び前記販売端末（４００）は、各々制御部を含むことができる。ここで、前記制御部は、前記サーバ（１００）、前記購買端末（２００）、前記決済サーバ（３００）及び前記販売端末（４００）の各々の全般的制御機能を実行する。
【００４６】
また、前記制御部は、前記保存部に保存されたプログラム及びデータを用いて前記サーバ（１００）、前記購買端末（２００）、前記決済サーバ（３００）及び前記販売端末（４００）の全般的制御機能を実行する。
【００４７】
前記制御部は、ＲＡＭ、ＲＯＭ、ＣＰＵ、ＧＰＵ、バスを含むことができて、ＲＡＭ、ＲＯＭ、ＣＰＵ、ＧＰＵなどは、バスを介して互いに連結することができる。ＣＰＵは、前記保存部にアクセスして、前記保存部に保存されたＯ／Ｓを用いてブートを遂行することができて、前記保存部に保存された各種プログラム、コンテンツ、データなどを用いて様々な動作を遂行することができる。
【００４８】
前記サーバ（１００）は、前記購買端末（２００）、前記決済サーバ（３００）、前記販売端末（４００）などと通信する。
【００４９】
また、前記サーバ（１００）は、前記購買端末（２００）との連動によって、前記購買端末（２００）のユーザーにおける会員加入の手続きを遂行する。
【００５０】
また、前記サーバ（１００）は、前記販売端末（４００）との連動によって、前記販売端末（４００）のユーザーにおける会員加入の手続きを遂行する。
【００５１】
また、前記サーバ（１００）は、当該サーバ（１００）に含まれた複数のカメラ（未図示）を介してオフライン上の一つ以上の売場、当該売場内の商品などを含む第１画像と第２画像とを撮影する。
【００５２】
ここで、前記売場は、デパート、ショッピングモール、アウトレット、飲食店、病院、ビルディング（または建築物）などを含む。
【００５３】
この時、前記複数のカメラを介して撮影される画像情報は、特定の位置に予め設置されたカメラ（例えば、ショッピングモール、売場などに具備されたＣＣＴＶ）を介して撮影される固定型リアルタイム画像情報、移動中の装置｛またはロードビュー装置（未図示）｝に設置されたカメラを介して撮影された移動型録画画像情報、移動中の装置に設置されたカメラを介して撮影されたリアルタイム画像情報などを含む。
【００５４】
また、前記売場がショッピングモール、デパート、アウトレットなどである場合、当該売場に陳列される商品の陳列位置は、ＰＯＧ（Ｐｌａｎ−Ｏ−Ｇｒａｍ：プラノグラム）、即ち、予め設定された標準商品配置データベースを基に設定された状態で、あることがある。
【００５５】
また、前記サーバ（１００）は、前記撮影された第１画像及び第２画像においてピクセルの方向性を基準として前記第１画像及び第２画像が重畳される重畳領域を獲得する。
【００５６】
本発明の実施例では、前記獲得された重畳領域を基準として、前記第１画像及び第２画像を合成して前記パノラマ画像を生成すると説明しているが、これに限定されることではなく、前記サーバ（１００）は、予め公知された様々な合成方法によって、前記撮影された第１画像及び第２画像を合成して前記パノラマ画像を生成することもできる。
【００５７】
また、前記サーバ（１００）を使用言語別に各のパノラマ画像を生成することもできる。
また、前記サーバ（１００）は、言語別の特性を考えて、使用言語別に各々のパノラマ画像を生成することもできる。
【００５８】
この時、前記サーバ（１００）は、別途に構成される複数のカメラ（例えば、３Ｄパノラマ画像を撮影するための特殊装置、特殊車両などに構成された複数のカメラ）を介して、撮影された第１画像及び第２画像を基に前記パノラマ画像を生成することもできる。
【００５９】
また、前記サーバ（１００）は、前記パノラマ画像内に含まれた一つ以上のオブジェクトを各々認識する。ここで、前記オブジェクトは、前記オフライン上に位置する各の売場であることがある。
即ち、前記サーバ（１００）は、前記パノラマ画像内に含まれた一つ以上の売場を各々認識する。
【００６０】
また、前記サーバ（１００）は、前記認識された一つ以上のオブジェクトに該当する売場で利用可能の一つ以上のクーポン及び／または商品券（または、オブジェクト別の利用可能のクーポン／商品券）を確認する。
【００６１】
また、前記サーバ（１００）は、前記パノラマ画像と前記確認された当該オブジェクトで利用可能の一つ以上のクーポン及び／または商品券における情報（または、オブジェクト別の利用可能のクーポン／商品券における情報）を連動して保存する。
【００６２】
また、前記サーバ（１００）は、前記購買端末（２００）から伝送される前記購買端末（２００）の位置情報、前記購買端末（２００）の識別情報などを受信する。
ここで、前記購買端末（２００）の識別情報は、ＭＤＮ（Ｍｏｂｉｌｅ  Ｄｉｒｅｃｔｏｒｙ  Ｎｕｍｂｅｒ）、モバイルＩＰ、モバイルＭＡＣ、Ｓｉｍ（ｓｕｂｓｃｒｉｂｅｒ  ｉｄｅｎｔｉｔｙ  ｍｏｄｕｌｅ：加入者識別モジュール）カード固有情報、シリアル番号などを含む。
【００６３】
また、前記サーバ（１００）は、予め保存された複数の３Ｄパノラマ画像情報のうち、前記購買端末（２００）の位置情報に対応する３Ｄパノラマ画像情報を確認する。
【００６４】
また、前記サーバ（１００）は、前記確認された前記購買端末（２００）の位置情報に対応する３Ｄパノラマ画像情報を前記購買端末(２００)へ伝送する。
【００６５】
また、前記サーバ（１００）は、前記確認された前記購買端末（２００）の位置情報に対応する３Ｄパノラマ画像情報と連動して保存された当該３Ｄパノラマ画像情報内に含まれた少なくとも一つのオブジェクトに関する少なくとも一つのクーポン及び／または商品券における情報を確認する。
この時、前記サーバ（１００）は、当該クーポン及び／または商品券における優先順位情報を一緒に確認することもできる。
【００６６】
また、前記サーバ（１００）は、前記確認された前記購買端末（２００）の位置情報に対応する３Ｄパノラマ画像情報、当該３Ｄパノラマ画像情報と連動される少なくとも一つのクーポン及び／または商品券における情報（または当該３Ｄパノラマ画像情報内に含まれた少なくとも一つのオブジェクトに関する少なくとも一つのクーポン及び／または商品券における情報）、当該クーポン及び／または商品券における優先順位情報などを前記購買端末（２００）へ伝送する。
【００６７】
また、前記サーバ（１００）は、前記購買端末（２００）から伝送される前記検索語、前記購買端末（２００）に予め保存された会員情報、前記購買端末（２００）の位置情報、前記購買端末（２００）の識別情報などを受信する。
【００６８】
また、前記サーバ（１００）は、前記予め保存された複数の３Ｄパノラマ画像情報のうち、前記検索語及び前記購買端末（２００）の位置情報に対応する３Ｄパノラマ画像情報を確認して、前記確認された前記検索語及び前記購買端末（２００）の位置情報に対応する３Ｄパノラマ画像情報を前記購買端末（２００）へ伝送する。
【００６９】
この時、前記サーバ（１００）は、前記検索語及び前記購買端末（２００）の位置情報のほかにも前記受信された会員情報を追加に反映して前記３Ｄパノラマ画像情報を確認することもできる。
【００７０】
また、確認される３Ｄパノラマ画像情報が複数である場合、前記サーバ（１００）は、確認された複数の３Ｄパノラマ画像情報、各３Ｄパノラマ画像情報に含まれた売場と前記購買端末（２００）との間の距離情報などを前記購買端末（２００）へ伝送することもできる。
【００７１】
前記購買端末（２００）に表示される少なくとも一つの売場における売場情報のうち、特定売場情報が選択される場合（または、前記特定売場情報が選択された後、当該特定売場情報に接して表示される予め設定されたダウンロードボタンが選択される場合）、前記サーバ（１００）は、前記購買端末（２００）から伝送される前記特定売場情報（または、前記選択されたボタン情報）を受信する。
【００７２】
また、前記サーバ（１００）は、予め保存された複数の売場情報別の利用可能のクーポン／商品券のうち、前記受信された前記特定売場情報（または、前記選択されたボタン情報）を基に前記特定売場情報（または、前記選択されたボタン情報）に対応する当該特定売場で使える特定のクーポン｛または、前記選択された特定のクーポン（例えば、割引クーポン、無料クーポンなどを含む）｝を確認する。
【００７３】
また、前記サーバ（１００）は、前記確認された前記特定売場情報（または、前記選択されたボタン情報）に対応する当該特定売場で使える特定のクーポン｛または、前記選択された特定のクーポン（例えば、割引クーポン、無料クーポンなどを含む）｝を前記購買端末（２００）に発行する。
【００７４】
また、前記購買端末（２００）に表示される少なくとも一つの売場における売場情報のうち、特定売場情報が選択される場合（または、前記特定売場情報が選択された後、当該特定売場情報に接して表示される予め設定された購買ボタン／決済ボタン）が選択される場合、前記サーバ（１００）は、前記購買端末（２００）、前記決済サーバ（３００）及び前記販売端末（４００）との連動によって前記選択された特定売場情報に対応する特定売場で利用可能の特定商品券における決済機能を遂行する。
【００７５】
また、前記決済機能が正常的に遂行完了した後、前記サーバ（１００）は、決済機能の遂行結果（または、決済情報）を前記購買端末（２００）に提供する。ここで、前記決済機能の遂行結果（または、決済情報）は、前記特定売場で利用可能の特定商品券情報、決済の日付及び時刻情報などを含む。
【００７６】
また、前記決済機能が正常的に遂行完了した後、前記サーバ（１００）は、前記特定売場情報（または、前記選択されたボタン情報）を基に前記特定売場情報（または、前記選択されたボタン情報）に対応する当該特定売場で使える特定商品券を前記購買端末（２００）に発行する。
【００７７】
ここで、前記特定商品券は、前記サーバ（１００）によって生成されるマルチ商品割引クーポンであることがある。
【００７８】
即ち、前記決済機能が正常的に遂行完了した後、前記サーバ（１００）は、前記特定売場で使える当該特定売場で提供する特定商品及びサービス情報に対応する正常価金額、割引額、有効期間、前記特定商品及びサービス情報に関する複数の商品及びサービスアイテムコード（または、前記特定商品及びサービス情報に関する複数の商品及びサービス情報／前記特定商品及びサービス情報と同一のカテゴリ内の複数の商品及びサービス情報）、固有番号（またはマルチ商品割引クーポンの固有番号）などを含む前記マルチ商品割引クーポン（またはマルチサービス割引クーポン／マルチ商品及びサービス割引クーポン）を生成する。
【００７９】
ここで、前記マルチ商品割引クーポンは、前記特定商品及びサービス情報に関する複数の商品及びサービスアイテムコードを一つのコードでグループ化した状態で、あり、バーコード型、ＱＲコード（登録商標）型、文字列型などで生成する。また、前記複数の商品及びサービス情報は、各々商品名（またはサービス名）、商品固有コード（またはサービス固有コード）、商品イメージ（またはサービスの基本イメージ）、商品説明情報（またはサービス説明情報）、商品／サービスにおける体験情報、商品／サービスにおける評価情報、当該商品を販売する（または当該サービスを提供する）売場の位置情報、売場の電話番号などを含む。
【００８０】
この時、前記文字列型のマルチ商品割引クーポンは、数字、文字、特殊文字、記号のうち、少なくとも一つの組合せによって生成されることができる。ここで、前記商品アイテムコードは、前記商品情報内の商品固有コード（またはサービス固有コード）に対応する。
また、前記商品／サービスにおける体験情報は、前記サーバ（１００）に予め登録した会員の端末で作成した体験情報、前記サーバ（１００）で提供する当該商品／サービスに関するマルチ商品割引クーポンを購買した端末で作成した体験情報などであることがある。
【００８１】
また、前記サーバ（１００）は、前記生成されたマルチ商品割引クーポンを前記購買端末（２００）に発行する。
【００８２】
また、前記サーバ（１００）は、一つの購買端末（２００）で購買できるマルチ商品割引クーポンの数量（または販売／決済金額）を予め設定することができる。
【００８３】
即ち、前記サーバ（１００）は、予め設定された販売数量範囲（または販売／決済金額範囲）（例えば、１００個以内または、２千万ウォン以内）内で一つの購買端末（２００）で特定商品及びサービスに対応するマルチ商品割引クーポンを購買するように構成することができる。
【００８４】
このように、前記サーバ（１００）は、特定商品及びサービスにおける大量購買を制限し、不正取引を防ぐことができる。
【００８５】
また、前記決済機能が正常的に遂行完了された後、前記サーバ（１００）は、前記マルチ商品割引クーポンの購買によって追加に提供される無料割引クーポン、割引クーポン、特定ショッピングモールの商品券、在来市場の商品券などを前記購買端末（２００）に発行（または伝送）する。
【００８６】
また、販売端末（４００）が具備された売場で特定商品及び／またはサービスを提供された後、前記購買端末（２００）に保存されたマルチ商品割引クーポンを使おうとする場合、前記サーバ（１００）は、前記購買端末（２００）、前記決済サーバ（３００）及び前記販売端末（４００）との間の連動によって、前記購買端末（２００）に保存されたマルチ商品割引クーポンにおける利用処理（または決済処理）機能を遂行する。
【００８７】
また、前記サーバ（１００）は、前記購買端末（２００）へ伝送された（または発行された）当該マルチ商品割引クーポンにおいて利用完了状態と処理（または転換／変更）する。
【００８８】
また、前記決済機能が正常的に遂行完了された後、当該マルチ商品割引クーポンの残額がある場合、前記サーバ（１００）は、利用可能額（または残額情報）などを含むマルチ商品割引クーポンを前記購買端末（２００）へ伝送する。
この時、前記利用可能額は、直前（または以前）利用可能額から前記決済機能遂行による決済金額を差し引いた状態の金額であることがある。
【００８９】
また、前記決済機能が正常的に遂行完了された後、当該マルチ商品割引クーポンの残額がある場合、前記サーバ（１００）は、利用可能額（または残額情報）などを含む情報を、前記販売端末（４００）を介して前記購買端末（２００）へ伝送することもできる。
【００９０】
また、前記決済機能が正常的に遂行完了された後、前記サーバ（１００）は、予め設定されたポイント及び／または割引クーポンを前記購買端末（２００）へ伝送する。
【００９１】
また、前記決済機能が正常的に遂行完了された後、前記サーバ（１００）は、予め設定されたポイント及び／または割引クーポンを、前記販売端末（４００）を介して前記購買端末（２００）へ伝送することもできる。
【００９２】
また、このような前記マルチ商品割引クーポンにおける利用によって、前記サーバ（１００）と前記決済サーバ（３００）と前記販売端末（４００）との間に手数料を分配することができる。
【００９３】
また、前記購買端末（２００）に発行されたマルチ商品割引クーポンに含まれた有効期間が予め設定された期間（例えば、有効期間から一ヶ月、有効期間から１５日、有効期間から７日、有効期間から３日、有効期間から１日などを含む）が到来して当該マルチ商品割引クーポン情報内に利用可能額（または残額）が残っている場合、前記サーバ（１００）は、マルチ商品割引クーポンの残額が残っていることを示す情報、有効期間などを含む情報を前記購買端末（２００）へ伝送する。
【００９４】
また、前記サーバ（１００）は、前記購買端末（２００）から伝送される特定商品／サービスにおける体験情報、特定商品／サービスにおける評価情報などを受信する。
【００９５】
また、前記サーバ（１００）は、前記受信した特定商品／サービスにおける体験情報、特定商品／サービスにおける評価情報などを当該特定商品／サービスと連動（またはマッチング）して保存する。
【００９６】
前記購買端末（２００）は、前記サーバ（１００）、前記決済サーバ（３００）、前記販売端末（４００）などと通信する。
【００９７】
また、前記購買端末（２００）は、前記サーバ（１００）との連動によって、前記購買端末（２００）のユーザーにおける会員加入の手続きを各々遂行する。
【００９８】
また、前記会員加入の手続き遂行する時に、前記購買端末（２００）は、本人認証手段（例えば、移動電話、クレジットカード、ｉ−ＰＩＮなどを含む）を介した認証機能を完了してから前記サーバ（１００）における会員加入の手続きを正常的に完了することができる。
【００９９】
また、前記購買端末（２００）に予め設置されたアプリが実行される場合、前記購買端末（２００）は、アプリの実行結果の画面を表示する。
ここで、前記アプリの実行結果の画面は、３Ｄパノラマ画像を表示するためのパノラマ画像情報項目、３Ｄパノラマ画像を検索するための検索項目、アプリの機能を設定するための設定項目、発行してもらったり、購買したりしたクーポン、商品情報を確認するためのマイページ項目などを含む。
この時、前記購買端末（２００）は、バックグラウンド状態で、当該アプリに関するサーバ（１００）と通信する。
【０１００】
また、前記購買端末（２００）に予め設置されたアプリが実行される場合、または、前記アプリの実行結果の画面のうち、予め設定されたパノラマ画像情報項目が選択される場合、前記購買端末（２００）は、購買端末（２００）の位置情報、購買端末（２００）の識別情報などを前記サーバ（１００）へ伝送する。
ここで、前記購買端末（２００）の識別情報は、ＭＤＮ、モバイルＩＰ、モバイルＭＡＣ、Ｓｉｍ（加入者識別モジュール）カード固有情報、シリアル番号などを含む。
【０１０１】
この時、前記購買端末（２００）は、ＧＰＳ受信機（未図示）を含むことができる。
ここで、前記ＧＰＳ受信機は、衛星から伝送されたＧＰＳ信号を受信して、前記受信したＧＰＳ信号に含まれた経度座標及び緯度座標を基に前記購買端末（２００）の位置データをリアルタイムで発生させる。
ここで、前記発生された位置データは、前記購買端末（２００）の現在位置(または現在位置データ)と定義する。
ここで、前記ＧＰＳ受信機のみならず、ワイファイ（Ｗｉ−Ｆｉ）、または、ワイブロ（Ｗｉｂｒｏ）通信を介して位置情報を受信することもできる。
【０１０２】
また、前記ＧＰＳ受信機を介して受信される信号は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）で提案した無線ＬＡＮ及び一部の赤外線通信などを含む無線ＬＡＮにおける無線ネットワークの標準規格である８０２．１１と、ブルートゥース、ＵＷＢ、ジグビーなどを含む無線ＰＡＮ（Ｐｅｒｓｏｎａｌ  Ａｒｅａ  Ｎｅｔｗｏｒｋ）における標準規格である８０２．１５と、固定無線アクセス（Ｆｉｘｅｄ  Ｗｉｒｅｌｅｓｓ  Ａｃｃｅｓｓ：ＦＷＡ）などを含む無線ＭＡＮ（Ｍｅｔｒｏｐｏｌｉｔａｎ  Ａｒｅａ  Ｎｅｔｗｏｒｋ）、ブロードバンド無線接続（Ｂｒｏａｄｂａｎｄ  Ｗｉｒｅｌｅｓｓ  Ａｃｃｅｓｓ：ＢＷＡ）における標準規格である８０２．１６と、ワイブロ（Ｗｉｂｒｏ）、ワイマックス（ＷｉＭＡＸ）などを含む無線ＭＡＮ（Ｍｏｂｉｌｅ  Ｂｒｏａｄｂａｎｄ  Ｗｉｒｅｌｅｓｓ  Ａｃｃｅｓｓ：ＭＢＷＡ）におけるモバイルインターネットにおける標準規格である８０２．２０などの無線通信方式を用いて端末機の位置情報を前記購買端末（２００）に提供するように構成することもできる。
【０１０３】
また、前記購買端末（２００）は、先に伝送された前記購買端末（２００）の位置情報に応じて、前記サーバ（１００）から伝送される前記購買端末（２００）の位置情報に対応する３Ｄパノラマ画像情報を受信する。
【０１０４】
また、前記購買端末（２００）は、前記受信された前記購買端末（２００）の位置情報に対応する３Ｄパノラマ画像情報を表示する。
【０１０５】
以後、前記購買端末（２００）は、先に伝送された前記購買端末（２００）の位置情報に応じて、前記サーバ（１００）から伝送される前記購買端末（２００）の位置情報に対応する３Ｄパノラマ画像情報、当該３Ｄパノラマ画像情報と連動される少なくとも一つのクーポン及び／または商品券における情報（または当該３Ｄパノラマ画像情報内に含まれた少なくとも一つのオブジェクトに関する少なくとも一つのクーポン及び／または商品券における情報）、当該クーポン及び／または商品券における優先順位情報などを受信する。
【０１０６】
また、前記購買端末（２００）は、前記受信された前記購買端末（２００）の位置情報に対応する３Ｄパノラマ画像情報、前記受信された当該３Ｄパノラマ画像情報と連動される少なくとも一つのクーポン及び／または商品券における情報などを表示する。
【０１０７】
この時、前記購買端末（２００）は、前記受信された当該クーポン及び／または商品券における優先順位情報を基に前記受信された当該３Ｄパノラマ画像情報と連動される少なくとも一つのクーポン及び／または商品券における情報のうち、一部のみを表示することもできる。
【０１０８】
また、前記購買端末（２００）に表示されるアプリの実行結果の画面のうち、検索項目が選択される場合｛または、前記受信された前記購買端末（２００）の位置情報に対応する３Ｄパノラマ画像情報が表示されている状態で、前記アプリの実行結果の画面のうち、検索項目が選択される場合｝、前記購買端末（２００）は、前記選択された検索項目に対応する検索語を入力してもらう（または受信する）ための検索語入力画面を表示する。
【０１０９】
また、前記購買端末（２００）は、ユーザー入力（または、ユーザータッチ）による検索語を受信する。
【０１１０】
ここで、検索しようとする３Ｄパノラマ画像情報がショッピングモールの場合、前記検索語は、男性服、女性服、スポーツ用品、牛肉、果物、魚、ラーメン、化粧品、お手洗い、エレベーターなどであることがある。
【０１１１】
また、前記検索しようとする３Ｄパノラマ画像情報がロードビューの場合、前記検索語は、飲食店、形成外科、薬局、化粧品ショップ、アクセサリーショップ、お手洗いなどであることがある。
【０１１２】
また、前記購買端末（２００）は、前記受信された検索語、前記購買端末（２００）に予め保存された会員情報、前記購買端末（２００）の位置情報、前記購買端末（２００）の識別情報などを前記サーバ（１００）へ伝送する。
ここで、前記会員情報は、当該購買端末（２００）のユーザーに関する姓名、住所、使用言語などを含む。
【０１１３】
また、前記購買端末（２００）は、先に伝送された検索語に対応して前記サーバ（１００）から伝送される前記検索語及び前記購買端末（２００）の位置情報に対応する３Ｄパノラマ画像情報を受信する。
【０１１４】
また、前記購買端末（２００）は、前記受信された前記検索語及び前記購買端末（２００）の位置情報に対応する３Ｄパノラマ画像情報を表示する。
【０１１５】
この時、前記購買端末（２００）は、前記検索語に対応する売場に接した領域に予め設定されたエモーティコン、または、アイコンを表示したり、当該売場にハイライト効果を提供したり、当該売場の外輪郭線を予め設定された色で表示する効果を提供したり、拡張現実機能を提供するなどの効果提供を介して、前記検索語に対応する売場を容易に確認できるようにすることができる。
【０１１６】
また、前記伝送された検索語に対応して前記サーバ（１００）から伝送される複数の３Ｄパノラマ画像情報を受信する場合、前記購買端末（２００）は、前記複数の3Dパノラマ画像情報のうち、前記購買端末（２００）の現在位置にもっとも近い売場を含む３Ｄパノラマ画像情報をメイン画像と表示して、残りの３Ｄパノラマ画像情報は、ＰＩＰ（Ｐｉｃｔｕｒｅ  Ｉｎ  Ｐｉｃｔｕｒｅ）機能を介して表示するか、画面分割機能などを介して表示することができる。
【０１１７】
また、前記購買端末（２００）は、使用言語によって、前記サーバ（１００）から提供される当該使用言語が適用された前記３Ｄパノラマ画像、商品及びサービス情報、売場情報などを提供してもらえる。
【０１１８】
また、前記購買端末（２００）は、先に伝送された前記購買端末（２００）の位置情報に応じて、前記サーバ（１００）から伝送される前記購買端末（２００）の位置情報に対応する３Ｄパノラマ画像情報、当該３Ｄパノラマ画像情報と連動される少なくとも一つのクーポン及び／または商品券における情報（または、当該３Ｄパノラマ画像情報内に含まれた少なくとも一つのオブジェクトに関する少なくとも一つのクーポン及び／または商品券における情報）、当該クーポン及び／または商品券における優先順位情報などを受信する。
【０１１９】
また、前記購買端末（２００）は、前記受信された前記購買端末（２００）の位置情報に対応する３Ｄパノラマ画像情報、前記受信された当該３Ｄパノラマ画像情報と連動される少なくとも一つのクーポン及び／または商品券における情報などを表示する。
【０１２０】
この時、前記購買端末（２００）は、前記受信された当該クーポン及び／または商品券における優先順位情報を基に前記受信された当該３Ｄパノラマ画像情報と連動される少なくとも一つのクーポン及び／または商品券における情報のうち、一部のみを表示することもできる。
【０１２１】
また、前記購買端末（２００）に表示される少なくとも一つのクーポン及び／または商品券における情報のうち、特定のクーポン（または特定商品券）が選択される場合、前記購買端末（２００）は、前記購買端末（２００）に表示されている３Ｄパノラマ画像情報に含まれた複数のオブジェクト（または売場）のうち、前記選択された特定のクーポン（または特定商品券）が利用できる少なくとも一つの売場における売場情報を表示する。
【０１２２】
この時、前記購買端末（２００）は、拡張現実機能を用いて前記選択された特定のクーポン（または特定商品券）が利用できる少なくとも一つの売場における売場情報を表示することができる。
【０１２３】
ここで、前記売場情報は、売場名、当該売場の運営時間情報、売場の位置情報、売場の電話番号、当該売場で提供する商品情報／サービス情報などを含む。また、前記商品情報は、商品名、商品固有コード、商品イメージ、商品説明情報、商品における体験情報、商品における評価情報などを含む。
【０１２４】
また、前記サービス情報は、サービス名、サービス固有コード、サービスの基本イメージ、サービス説明情報、サービスにおける体験情報、サービスにおける評価情報などを含む。
【０１２５】
また、前記購買端末（２００）に表示される少なくとも一つの売場における売場情報のうち、特定売場情報が選択される場合｛または、前記特定売場情報が選択された後、当該特定売場情報に接して表示される予め設定されたボタン（またはダウンロードボタン／購買ボタン）が選択される場合｝、前記購買端末（２００）は、前記選択された特定のクーポン、または、特定商品券における発行機能、または、決済後発行機能を遂行する。
【０１２６】
即ち、前記購買端末（２００）に表示される少なくとも一つの売場における売場情報のうち、特定売場情報が選択される場合（または、前記特定売場情報が選択された後、当該特定売場情報に接して表示される予め設定されたダウンロードボタンが選択される場合）、前記購買端末（２００）は、前記選択された特定売場情報（または、前記選択されたボタン情報）を前記サーバ（１００）へ伝送する。
【０１２７】
また、前記購買端末（２００）は、前記サーバ（１００）から発行される当該特定売場で利用可能の前記特定のクーポン（例えば、割引クーポン、無料クーポンなどを含む）を保存する。
【０１２８】
また、前記購買端末（２００）に表示される少なくとも一つの売場における売場情報のうち、特定売場情報が選択される場合（または、前記特定売場情報が選択された後、当該特定売場情報に接して表示される予め設定された購買ボタン／決済ボタン）が選択される場合、前記購買端末（２００）は、前記サーバ（１００）と決済サーバ（３００）と販売端末（４００）との連動によって、当該特定売場情報に対応する特定売場で利用可能の特定商品券における決済機能を遂行する。
【０１２９】
また、前記決済機能が正常的に遂行完了した後、前記購買端末（２００）は、前記サーバ（１００）、または、前記決済サーバ（３００）から提供される決済機能の遂行結果（または、決済情報）を受信する。ここで、前記決済機能の遂行結果（または、決済情報）は、前記特定売場で利用可能の特定商品券情報、決済の日付及び時刻情報などを含む。
【０１３０】
また、前記購買端末（２００）は、前記受信された決済機能の遂行結果を表示する。
【０１３１】
また、前記決済機能が正常的に遂行完了した後、前記購買端末（２００）は、前記サーバ（１００）から発行される当該特定売場で利用可能の前記特定商品券を保存する。
【０１３２】
また、前記購買端末（２００）は、前記特定の購買によって、前記サーバ（１００）から追加に提供される無料割引クーポン、割引クーポン、特定ショッピングモールの商品券、在来市場の商品券などを受信する。
【０１３３】
また、前記購買端末（２００）は、前記受信された無料割引クーポン、割引クーポン、特定ショッピングモールの商品券、在来市場の商品券などを保存及び表示する。
【０１３４】
また、購買端末（２００）に表示される当該購買端末（２００）に保存されたクーポン、または、商品券が利用できる一つ以上の売場情報のうち、特定売場情報が選択される場合(または、購買端末（２００）に予め保存されたクーポン、または、商品券のうち、いずれか一つが選択される場合)、前記購買端末（２００）は、前記購買端末（２００）の現在位置情報と前記選択された特定売場情報（または特定売場の位置情報／クーポン／商品券）を基に前記購買端末（２００）の現在位置から当該特定売場情報に対応する売場までの道案内情報を生成する。
【０１３５】
この時、前記購買端末（２００）は、前記サーバ（１００）との連動によって、前記生成された道案内情報上の経路から予め設定された距離以内に隣接した一つ以上のお勧め情報を確認（または生成）することもできる。
【０１３６】
ここで、前記お勧め情報は、前記商品券が利用できる売場情報であることがある。この時、前記道案内情報は、前記サーバ（１００）との連動によって３Ｄパノラマ画像情報型で生成されることもできる。
【０１３７】
また、前記購買端末（２００）は、前記生成された道案内情報、前記生成された一つ以上のお勧め情報などを表示する。
【０１３８】
このように、前記購買端末（２００）は、３Ｄパノラマ画像、アバター（またはエモーティコン）などを活用して、仮想現実的に前記購買端末（２００）のユーザーの動線を考えてオフライン売場を訪れる時、当該アバターを付いて行くように道案内情報を提供することによって、興味を誘発させてユーザーの便宜性を向上させることができる。
【０１３９】
また、販売端末（４００）が具備された売場で特定商品及び／またはサービスを提供された後、前記購買端末（２００）に保存されたクーポン、または、商品券を使おうとする場合、前記購買端末（２００）は、前記サーバ（１００）、前記決済サーバ（３００）及び前記販売端末（４００）との間の連動によって、前記購買端末（２００）に保存されたクーポン、または、商品券における利用処理（または決済処理）機能を遂行する。
【０１４０】
また、前記購買端末（２００）に保存されたクーポン、または、商品券 における利用処理が完了された場合、前記購買端末（２００）は、前記購買端末（２００）に保存されたクーポン、または、商品券は、重複利用（または再利用）が禁止されるように廃棄処理する。
【０１４１】
また、前記決済機能が正常的に遂行完了された後、当該商品券の残額がある場合、前記購買端末（２００）は、前記サーバ（１００）から伝送される利用可能額（または残額情報）などを含む商品券を表示したり、または、前記販売端末（４００）から提供される領収書などの印刷物を介して前記サーバ（１００）から伝送される利用可能額（または残額情報）などを含む商品券を出力したりする。
【０１４２】
この時、前記利用可能額は、直前（または以前）利用可能額から前記決済機能遂行による決済金額を差し引いた状態の金額であることがある。
【０１４３】
また、前記決済機能が正常的に遂行完了された後、前記購買端末（２００）は、前記販売端末（４００）から伝送（または発行）される予め設定されたポイント及び／または割引クーポンを受信する。
【０１４４】
また、前記購買端末（２００）は、前記受信した予め設定されたポイント及び／または割引クーポンを表示及び保存する。
【０１４５】
また、前記購買端末（２００）は、前記商品券に含まれた有効期間を基に当該有効期間が予め設定された期間（例えば、有効期間から一ヶ月、有効期間から１５日、有効期間から７日、有効期間から３日、有効期間から１日などを含む）が到来して当該商品券情報内に利用可能額（または残額）が残っている場合、商品券の残額が残っていることを示す情報、有効期間などを含む情報を前記予め設定された期間ごとに表示する。
【０１４６】
この時、前記商品券の残額が残っていることを示す情報、有効期間などを含む情報は、前記サーバ（１００）から提供されることもできる。
【０１４７】
また、前記購買端末（２００）は、当該購買端末（２００）のユーザー入力による特定商品／サービスにおける体験情報、特定商品／サービスにおける評価情報などを受信する。
【０１４８】
この時、前記購買端末（２００）は、特定商品／サービスにおいて予め設定された個数以内の体験情報、評価情報などを受信するように構成して、同一ユーザーによる多量の体験情報や評価情報提供を防いで、当該体験情報、評価情報などにおける信頼性を高めることができる。
【０１４９】
また、前記購買端末（２００）は、前記受信した商品／サービスにおける体験情報、商品／サービスにおける評価情報、前記購買端末（２００）の識別情報などを前記サーバ（１００）へ伝送する。
【０１５０】
前記決済サーバ（３００）は、前記サーバ（１００）、前記購買端末（２００）、前記販売端末（４００）などと通信する。
【０１５１】
また、前記決済サーバ（３００）は、前記購買端末（２００）、前記サーバ（１００）、前記販売端末（４００）などとの連動によって、前記購買端末（２００）で選択された特定売場で使える商品券における決済機能を遂行する。
【０１５２】
この時、前記決済機能を遂行する時、前記決済サーバ（３００）は、前記特定売場で使える商品券に対応する正常価金額に予め設定された割引額を適用して、前記正常価金額に前記割引額が適用された金額における決済機能を遂行することもできる。
【０１５３】
また、前記決済機能が正常的に遂行完了した後、前記決済サーバ（３００）は、前記決済機能の遂行結果（または、決済情報）を前記購買端末（２００）に提供する。
ここで、前記決済機能の遂行結果（または、決済情報）は、前記特定売場で利用可能の特定商品券情報、決済の日付及び時刻情報などを含む。
【０１５４】
また、販売端末（４００）が具備された売場で商品券の利用可能の特定商品及び／またはサービスを提供された後、前記購買端末（２００）に保存された商品券を利用しようとする場合、前記決済サーバ（３００）は、前記購買端末（２００）、前記サーバ（１００）及び前記販売端末（４００）との間の連動によって、前記購買端末（２００）に保存された商品券における利用処理（または、決済処理）機能を遂行する。
【０１５５】
前記販売端末（４００）は、売場に備えるＰＯＳ（Ｐｏｉｎｔ  ｏｆ  Ｓａｌｅｓ）端末などであることがある。
【０１５６】
また、前記販売端末（４００）は、任意の売場に具備（または設置）される。
【０１５７】
また、前記販売端末（４００）は、前記サーバ（１００）との連動によって、前記販売端末（４００）のユーザーにおける会員加入の手続きを遂行する。
【０１５８】
また、前記会員加入の手続き遂行する時に、前記販売端末（４００）は、本人認証手段（例えば、移動電話、クレジットカード、ｉ−ＰＩＮなどを含む）を介した認証機能を完了した後に、前記サーバ（１００）における会員加入の手続きを正常的に完了することができる。
【０１５９】
また、前記販売端末（４００）は、前記サーバ（１００）、前記購買端末（２００）、前記決済サーバ（３００）などと通信する。
【０１６０】
また、前記販売端末（４００）は、前記購買端末（２００）、前記サーバ（１００）、前記決済サーバ（３００）などとの連動によって、前記購買端末（２００）で選択された当該販売端末（４００）が位置する売場で利用可能の商品券における決済機能を遂行する。
【０１６１】
また、前記販売端末（４００）は、前記サーバ（１００）、または、前記決済サーバ（３００）から伝送される前記決済機能の遂行による前記決済機能の遂行結果（または、決済情報）、前記サーバ（１００）から発行される販売数量などを受信する。
【０１６２】
また、前記販売端末（４００）は、前記受信された決済機能の遂行結果、前記の販売数量などを基に前記販売端末（４００）に関する売場内の商品の在庫管理の機能を遂行することができる。
【０１６３】
また、前記販売端末（４００）は、前記受信された決済機能の遂行結果、前記の販売数量などを基に顧客関係管理（Ｃｕｓｔｏｍ  Ｒｅｌａｔｉｏｎ  Ｍａｎａｇｅｍｅｎｔ：ＣＲＭ）マーケッティングを適用して、当該販売端末（４００）に関する売場で提供する商品やサービスにおけるマーケッティング機能を遂行することができる。
【０１６４】
また、販売端末（４００）が具備された売場で特定商品及び／またはサービスを提供された後、前記購買端末（２００）に保存されたクーポン／商品券を利用しようとする場合、前記販売端末（４００）は、バーコード型、ＱＲコード（登録商標）型などで前記購買端末（２００）に保存されたクーポン／商品券を認識する。
【０１６５】
即ち、前記クーポン／商品券を所持した前記購買端末（２００）のユーザーが、前記販売端末（４００）が具備された売場に訪れて、当該売場で販売する一つ以上の商品を購買するか、当該売場で提供するサービスを提供された後に、当該サービスにおける代価を払うために、当該クーポン／商品券を介する決済機能を遂行しようとする場合、前記販売端末（４００）は、前記購買端末（２００）に保存された（または発行された）クーポン／固有番号（または当該商品券の情報）を認識する。
【０１６６】
この時、前記販売端末（４００）は、当該販売端末（４００）に備えられる認識部（例えば、バーコード認識部、ＱＲコード（登録商標）認識部などを含む)を介して当該クーポン／商品券を認識することができる。
【０１６７】
また、前記販売端末（４００）は、前記認識されたクーポン／商品券（またはクーポン／固有番号）を基に前記購買端末（２００）、前記サーバ（１００）及び前記決済サーバ（３００）との間の連動によって、前記購買端末（２００）に保存されたクーポン／商品券における利用処理（または、決済処理）機能を遂行する。
【０１６８】
また、前記販売端末（４００）は、前記購買端末（２００）へ伝送された（または発行された）当該クーポン／商品券において利用完了状態で、処理（または転換／変更）する。
【０１６９】
また、当該クーポン／商品券における利用処理（または、決済機能の遂行）が完了された後、前記販売端末（４００）は、当該クーポン／商品券における利用処理結果を表示する。
ここで、前記クーポン／商品券における利用処理結果は、売場名、売場位置、売場連絡先、商品及びサービス情報、決済の日付及び時刻情報、注文商品別／サービス別の価格情報などを含む。
【０１７０】
また、当該クーポン／商品券における利用処理（または、決済機能の遂行）が完了された後、前記販売端末（４００）は、領収書などの印刷物を介して前記クーポン／商品券における利用処理結果を出力する。
【０１７１】
また、当該商品券における利用処理（または、決済機能の遂行）が完了された後、当該の残額のある場合、前記販売端末（４００）は、前記サーバ（１００）から伝送される当該商品券での利用可能金額（または残額情報／アップデートされた利用可能金額）などを含む情報を受信する。
【０１７２】
また、前記販売端末（４００）は、前記受信された当該商品券フォンでの利用可能金額などを含む情報を表示するか、または、前記領収書などの印刷物を介して出力する。
【０１７３】
また、当該商品券における利用処理（または、決済機能の遂行）が完了された後、前記販売端末（４００）は、予め設定されたポイント及び／または割引クーポンを前記購買端末（２００）へ伝送（または発行）する。
ここで、前記ポイント及び／または割引クーポンは、前記商品券における利用処理結果に一緒に含まれた状態か、前記発行される領収書に含まれることができる。
【０１７４】
このように、商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示することができる。
【０１７５】
また、このように、商品が陳列された売場を含むショッピングモールや売場が位置する街におけるロードビュー上の画像情報に当該画像情報内に含まれた売場で利用可能のクーポンや商品券を表示し、前記クーポンや商品券が選択される時、前記クーポンや商品券が使える一つ以上の売場を表示して当該クーポンを端末に発行するか、当該商品券における決済機能を遂行した後、決済完了した当該商品券を前記端末に発行することができる。
【０１７６】
以下では、本発明による拡張現実基盤のショッピング情報提供システムの制御方法を図１乃至図１３を参照して詳しく説明する。
【０１７７】
図２は、本発明の第１実施例による拡張現実基盤のショッピング情報提供システムの制御方法を示した流れ図である。
【０１７８】
まず、サーバ（１００）は、当該サーバ（１００）に含まれた複数のカメラ（未図示）を介してオフライン上の一つ以上の売場、当該売場内の商品などを含む第１画像と第２画像を撮影する。
ここで、前記売場は、デパート、ショッピングモール、アウトレット、飲食店、病院、ビルディング（または建築物）などを含む。
【０１７９】
この時、前記複数のカメラを介して撮影される画像情報は、特定の位置に予め設置されたカメラ（例えば、ショッピングモール、売場などに具備されたＣＣＴＶ）を介して撮影される固定型リアルタイム画像情報、移動中の装置｛またはロードビュー装置（未図示）｝に設置されたカメラを介して撮影された移動型録画画像情報、移動中の装置に設置されたカメラを介して撮影されたリアルタイム画像情報などを含む。
【０１８０】
一例をあげると、前記サーバ（１００）は、第１１カメラ及び第１２カメラを介して大型ショッピングモール内の複数の商品が陳列される複数の売場を含む第１１画像及び第１２画像を各々撮影する。
【０１８１】
他の一例をあげると、前記サーバ（１００）は、第２１カメラ及び第２２カメラを介してオフライン上の複数の売場を含む第２１画像及び第２２画像を各々撮影する（Ｓ２１０）。
【０１８２】
以後、前記サーバ（１００）は、前記撮影された第１画像及び第２画像においてピクセルの方向性を基準として前記第１画像及び第２画像が重畳される重畳領域を獲得する。
【０１８３】
また、前記サーバ（１００）は、前記獲得された重畳領域を基準として、前記第１画像及び第２画像を合成してパノラマ画像（または３Ｄパノラマ画像／パノラマ画像情報）を生成する。
【０１８４】
この時、前記サーバ（１００）は、予め公知された様々な合成方法によって前記撮影された第１画像及び第２画像を合成してパノラマ画像を生成することができる。
また、前記サーバ（１００）を使用言語別に各のパノラマ画像を生成することもできる。
【０１８５】
一例をあげると、前記サーバ（１００）は、前記撮影された第１１画像及び第１２画像の重畳される重畳領域を基準として、前記第１１画像及び第１２画像を合成して第１の３Ｄパノラマ画像を生成する。
【０１８６】
他の一例をあげると、前記サーバ（１００）は、前記撮影された第２１画像及び第２２画像の重畳される重畳領域を基準として、前記第２１画像及び第２２画像を合成して第２の３Ｄパノラマ画像を生成する（Ｓ２２０）。
【０１８７】
以後、前記サーバ（１００）は、前記パノラマ画像内に含まれた一つ以上のオブジェクトを各々認識する。ここで、前記オブジェクトは、前記オフライン上に位置する各の売場であることがある。
即ち、前記サーバ（１００）は、前記パノラマ画像内に含まれた一つ以上の売場を各々認識する。
【０１８８】
一例をあげると、前記サーバ（１００）は、前記第１の３Ｄパノラマ画像に含まれた大型ショッピングモール内の第１乃至第６売場を各々認識する。
【０１８９】
他の一例をあげると、前記サーバ（１００）は、前記第２の３Ｄパノラマ画像に含まれた複数の売場（例えば、オフライン上に位置する第１内科医院、第１薬局、第１コンビニ、第１自動車、第１形成外科、第２形成外科、第２薬局、第１整形外科、第２コンビニなどを含む）を各々認識する（Ｓ２３０）。
【０１９０】
以後、前記サーバ（１００）は、前記認識された一つ以上のオブジェクトに該当する売場で利用可能の一つ以上のクーポン及び／または商品券（またはオブジェクト別の利用可能のクーポン／商品券）を確認する。
【０１９１】
また、前記サーバ（１００）は、前記パノラマ画像と前記確認された当該オブジェクトで利用可能の一つ以上のクーポン及び／または商品券における情報（またはオブジェクト別の利用可能のクーポン／商品券における情報）を連動して保存する。
【０１９２】
一例をあげると、前記サーバ（１００）は、前記ショッピングモール内の第１売場で利用可能の第１クーポンと第２クーポン、第２売場で利用可能の第２クーポンと第１商品券、第３売場で利用可能の第１クーポンと第２クーポンと第３クーポン、第４売場で利用可能の第１商品券と第２商品券、第５売場で利用可能の第３クーポンと第１商品券、第６売場で利用可能の第２クーポンと第２商品券を各々確認して、前記第１の３Ｄパノラマ画像と前記第１乃至第６売場別のクーポン／商品券における情報を連動して保存する。
【０１９３】
他の一例をあげると、前記サーバ（１００）は、前記第１内科医院で利用可能の第１クーポン、第１コンビニと第２コンビニで利用可能の第２クーポンと第１商品券、第１形成外科と第２形成外科で利用可能の第３クーポンと第２商品券、第１整形外科で利用可能の第１クーポンと第２クーポンを各々確認して、前記第２の３Ｄパノラマ画像と前記売場別のクーポン／商品券における情報を連動して保存する（Ｓ２４０）。
【０１９４】
以後、購買端末（２００）に予め設置されたアプリが実行される場合、前記購買端末（２００）は、アプリの実行結果の画面を表示する。
【０１９５】
ここで、前記アプリの実行結果の画面は、３Ｄパノラマ画像を表示するためのパノラマ画像情報項目、３Ｄパノラマ画像を検索するための検索項目、アプリの機能を設定するための設定項目、発行してもらったり、購買したりしたクーポン、商品情報を確認するためのマイページ項目などを含む。
【０１９６】
この時、前記購買端末（２００）は、バックグラウンド状態で、当該アプリに関するサーバ（１００）と通信する。
【０１９７】
また、前記購買端末（２００）に予め設置されたアプリが実行される場合、または、前記アプリの実行結果の画面のうち、予め設定されたパノラマ画像情報項目が選択される場合、前記購買端末（２００）は、購買端末（２００）の位置情報、購買端末（２００）の識別情報などを前記サーバ（１００）へ伝送する。
【０１９８】
ここで、前記購買端末（２００）の識別情報は、ＭＤＮ、モバイルＩＰ、モバイルＭＡＣ、Ｓｉｍ（加入者識別モジュール）カード固有情報、シリアル番号などを含む。
【０１９９】
一例をあげると、図３に図示されたように、前記購買端末（２００）に予め設置されたショッピング情報アプリが実行される時、前記購買端末（２００）は、ショッピング情報画面（３１０）を表示し、前記ショッピング情報アプリに関する前記サーバ（１００）とバックグラウンド状態で、通信連結する。
【０２００】
ここで、前記ショッピング情報画面（３１０）は、３Ｄパノラマ画像情報項目（３１１）、検索項目（３１２）、設定項目（３１３）、マイページ項目（３１４）などを含む。
【０２０１】
また、前記購買端末（２００）は、前記購買端末（２００）の位置情報（例えば、大韓民国ソウル特別市江南区狎鴎亭路１２３４通り）、前記購買端末（２００）の識別情報などを前記サーバ（１００）へ伝送する（Ｓ２５０）。
【０２０２】
以後、前記サーバ（１００）は、前記購買端末（２００）から伝送される前記購買端末（２００）の位置情報、前記購買端末（２００）の識別情報などを受信する。
【０２０３】
また、前記サーバ（１００）は、予め保存された複数の３Ｄパノラマ画像情報のうち、前記購買端末（２００）の位置情報に対応する３Ｄパノラマ画像情報を確認する。
【０２０４】
また、前記サーバ（１００）は、前記確認された前記購買端末（２００）の位置情報に対応する３Ｄパノラマ画像情報を前記購買端末（２００）へ伝送する。
【０２０５】
一例をあげると、前記サーバ（１００）は、予め保存された複数の３Ｄパノラマ画像情報のうち、前記購買端末（２００）の位置情報（例えば、大韓民国ソウル特別市江南区狎鴎亭路１２３４通り）に対応するＡＢＣＤ大型ショッピングモールの３Ｄパノラマ画像情報（または、前記第１の３Ｄパノラマ画像情報）を前記購買端末（２００）へ伝送する。
【０２０６】
他の一例をあげると、前記サーバ（１００）は、予め保存された複数の３Ｄパノラマ画像情報のうち、前記購買端末（２００）の位置情報（例えば、大韓民国ソウル特別市江南区狎鴎亭路１２３４通り）に対応する前記第２の３Ｄパノラマ画像情報を前記購買端末（２００）へ伝送する。
ここで、前記第２の３Ｄパノラマ画像情報は、前記購買端末（２００）の位置情報に対応するロードビュー画像情報であることがある（Ｓ２６０）。
【０２０７】
以後、前記購買端末（２００）は、先に伝送された前記購買端末（２００）の位置情報に応じて、前記サーバ（１００）から伝送される前記購買端末（２００）の位置情報に対応する３Ｄパノラマ画像情報を受信する。
【０２０８】
また、前記購買端末（２００）は、前記受信された前記購買端末（２００）の位置情報に対応する３Ｄパノラマ画像情報を表示する。
【０２０９】
一例をあげると、図４に図示されたように、前記購買端末（２００）は、前記伝送された前記購買端末（２００）の位置情報に応じて、前記サーバ（１００）から伝送される前記購買端末（２００）の位置情報（例えば、大韓民国ソウル特別市江南区狎鴎亭路１２３４通り）に対応するＡＢＣＤ大型ショッピングモールの３Ｄパノラマ画像情報（４１０）を表示する。
【０２１０】
他の一例をあげると、図５に図示されたように、前記購買端末（２００）は、前記伝送された前記購買端末（２００）の位置情報に応じて、前記サーバ（１００）から伝送される前記購買端末（２００）の位置情報（例えば、大韓民国ソウル特別市江南区狎鴎亭路１２３４通り）に対応するロードビュー画像情報である前記第２の３Ｄパノラマ画像情報（５００）を表示する（Ｓ２７０）。
【０２１１】
以後、前記購買端末（２００）に表示されるアプリの実行結果の画面のうち、検索項目が選択される場合｛または、前記受信された前記購買端末（２００）の位置情報に対応する３Ｄパノラマ画像情報が表示されている状態で、前記アプリの実行結果の画面のうち、検索項目が選択される場合｝、前記購買端末（２００）は、前記選択された検索項目に対応する検索語を入力してもらう（または受信する）ための検索語入力画面を表示する。
【０２１２】
また、前記購買端末（２００）は、ユーザー入力（または、ユーザータッチ）による検索語を受信する。
【０２１３】
また、前記購買端末（２００）は、前記受信された検索語、前記購買端末（２００）に予め保存された会員情報、前記購買端末（２００）の位置情報、前記購買端末（２００）の識別情報などを前記サーバ（１００）へ伝送する。
ここで、前記会員情報は、当該購買端末（２００）のユーザーに関する姓名、住所、使用言語などを含む。
【０２１４】
一例をあげると、前記購買端末（２００）で前記図４のＡＢＣＤ大型ショッピングモールの３Ｄパノラマ画像情報（４１０）が表示されている状態で、検索項目（３１２）が選択される時、図６に図示されたように、前記購買端末（２００）は、前記選択された検索項目（３１２）に対応する検索語入力画面（６００）を表示する。
【０２１５】
また、前記購買端末（２００）がユーザー入力による検索語（例えば、スポーツ用品などを含む）を受信する時、前記購買端末（２００）は、前記受信された検索語（例えば、スポーツ用品などを含む）、前記会員情報（例えば、姓名：洪吉同、住所：中国河南省南陽市八一路１２３号、使用言語：中国語などを含む）、前記購買端末（２００）の位置情報（例えば、大韓民国ソウル特別市江南区狎鴎亭路１２３４通り）、前記購買端末（２００）の識別情報などを前記サーバ（１００）へ伝送する。
【０２１６】
他の一例をあげると、前記図３に図示されたショッピング情報画面（３１０）のうち、前記検索項目（３１２）が選択される時、前記図６に図示されたように、前記購買端末（２００）は、前記選択された検索項目（３１２）に対応する検索語入力画面（６００）を表示する。
【０２１７】
また、前記購買端末（２００）がユーザー入力による検索語（例えば、形成外科などを含む）を受信する時、前記購買端末（２００）は、前記受信された検索語（例えば、形成外科などを含む）、前記会員情報（例えば、姓名：洪吉同、住所：中国河南省南陽市八一路１２３号、使用言語：中国語などを含む）、前記購買端末（２００）の位置情報（例えば、大韓民国ソウル特別市江南区狎鴎亭路１２３４通り）、前記購買端末（２００）の識別情報などを前記サーバ（１００）へ伝送する（Ｓ２８０）。
【０２１８】
以後、前記サーバ（１００）は、前記購買端末（２００）から伝送される前記検索語、前記購買端末（２００）に予め保存された会員情報、前記購買端末（２００）の位置情報、前記購買端末（２００）の識別情報などを受信する。
【０２１９】
また、前記サーバ（１００）は、前記予め保存された複数の３Ｄパノラマ画像情報のうち、前記検索語及び前記購買端末（２００）の位置情報に対応する３Ｄパノラマ画像情報を確認して、前記確認された前記検索語及び前記購買端末（２００）の位置情報に対応する３Ｄパノラマ画像情報を前記購買端末（２００）へ伝送する。
【０２２０】
この時、前記サーバ（１００）は、前記検索語及び前記購買端末（２００）の位置情報のほかにも前記受信された会員情報を追加に反映して前記３Ｄパノラマ画像情報を確認することもできる。
【０２２１】
また、確認される３Ｄパノラマ画像情報が複数である場合、前記サーバ（１００）は、確認された複数の３Ｄパノラマ画像情報、各３Ｄパノラマ画像情報に含まれた売場と前記購買端末（２００）との間の距離情報などを前記購買端末（２００）へ伝送することもできる。
【０２２２】
一例をあげると、前記サーバ（１００）は、前記予め保存された複数の３Ｄパノラマ画像情報（または、予め保存された言語別複数の３Ｄパノラマ画像情報）のうち、前記検索語（例えば、スポーツ用品などを含む）と前記会員情報内の使用言語（例えば、中国語）と前記購買端末（２００）の位置情報（例えば、大韓民国ソウル特別市江南区狎鴎亭路１２３４通り）に対応する前記ＡＢＣＤ大型ショッピングモール内で前記検索語に対応するスポーツ用品を販売する第７売場及び第８売場を含む中国語型の第３−１パノラマ画像情報、第９売場を含む中国語型の第３−２パノラマ画像情報、前記購買端末（２００）の位置情報による第３−１パノラマ画像情報内の売場（例えば、第７売場及び第８売場）と第３−２パノラマ画像情報内の売場（例えば、第９売場）までの街情報｛例えば、前記購買端末（２００）の位置情報から第７売場と第８売場までの距離が１００メートル、前記第９売場までの距離が１５０メートルなどを含む｝などを前記購買端末（２００）へ伝送する。
【０２２３】
他の一例をあげると、前記サーバ（１００）は、前記予め保存された複数の３Ｄパノラマ画像情報のうち、前記検索語（例えば、形成外科などを含む）及び前記購買端末（２００）の位置情報（例えば、大韓民国ソウル特別市江南区狎鴎亭路１２３４通り）に対応する前記ロードビュー内で前記検索語である形成外科に対応する前記第１形成外科及び前記第２形成外科を含む第４の３Ｄパノラマ画像情報を前記購買端末（２００）へ伝送する（Ｓ２９０）。
【０２２４】
以後、前記購買端末（２００）は、先に伝送された検索語に対応して前記サーバ（１００）から伝送される前記検索語及び前記購買端末（２００）の位置情報に対応する３Ｄパノラマ画像情報を受信する。
【０２２５】
また、前記購買端末（２００）は、前記受信された前記検索語及び前記購買端末（２００）の位置情報に対応する３Ｄパノラマ画像情報を表示する。
【０２２６】
この時、前記購買端末（２００）は、前記検索語に対応する売場に接した領域に予め設定されたエモーティコン、または、アイコンを表示したり、当該売場にハイライト効果を提供したり、当該売場の外輪郭線を予め設定された色で表示する効果を提供したり、拡張現実機能を提供するなどの効果提供を介して、前記検索語に対応する売場を容易に確認できるようにすることができる。
【０２２７】
一例をあげると、図７に図示されたように、前記購買端末（２００）は、前記伝送された前記検索語（例えば、スポーツ用品などを含む）、前記会員情報内の使用言語（例えば、中国語）、前記購買端末（２００）の位置情報（例えば、大韓民国ソウル特別市江南区狎鴎亭路１２３４通り）などに応じて、前記サーバ（１００）から伝送される前記ＡＢＣＤ大型ショッピングモール内で前記検索語に対応するスポーツ用品を販売する第７売場及び第８売場を含む第３−１パノラマ画像情報（７００）を表示する。
【０２２８】
この時、前記購買端末（２００）は、予め設定されたアイコン（７１０）を前記検索語であるスポーツ用品を販売する前記第７売場及び前記第８売場に各々表示することができる。
また、前記購買端末（２００）は、前記ＡＢＣＤ大型ショッピングモール内で前記検索語に対応するスポーツ用品を販売する前記第９売場を含む第３−２パノラマ画像情報（７２０）を、ＰＩＰ機能を介して表示する。
【０２２９】
他の一例をあげると、図８に図示されたように、前記購買端末（２００）は、前記伝送された前記検索語（例えば、形成外科などを含む）及び前記購買端末（２００）の位置情報（例えば、大韓民国ソウル特別市江南区狎鴎亭路１２３４通り）に応じて、前記サーバ（１００）から伝送されるロードビューで前記検索語に対応する形成外科である前記第１形成外科及び前記第２形成外科を含む第４の３Ｄパノラマ画像情報（８００）を表示する。
【０２３０】
この時、前記購買端末（２００）は、前記検索語である形成外科に対応する売場である前記第１形成外科及び前記第２形成外科の外輪郭線を太くて予め設定された色（例えば、赤色、斜線で表示）で表示することができる（Ｓ３００）。
【０２３１】
図９は、本発明の第２実施例による拡張現実基盤のショッピング情報提供システムの制御方法を示した流れ図である。
【０２３２】
まず、サーバ（１００）は、当該サーバ（１００）に含まれた複数のカメラ（未図示）を介してオフライン上の一つ以上の売場、当該売場内の商品などを含む第１画像と第２画像を撮影する。
【０２３３】
ここで、前記売場は、デパート、ショッピングモール、アウトレット、飲食店、病院、ビルディング（または建築物）などを含む。この時、前記複数のカメラを介して撮影される画像情報は、特定の位置に予め設置されたカメラ（例えば、ショッピングモール、売場などに具備されたＣＣＴＶ）を介して撮影される固定型リアルタイム画像情報、移動中の装置｛またはロードビュー装置（未図示）｝に設置されたカメラを介して撮影された移動型録画画像情報、移動中の装置に設置されたカメラを介して撮影されたリアルタイム画像情報などを含む。
【０２３４】
一例をあげると、前記サーバ（１００）は、第１１カメラ及び第１２カメラを介して大型ショッピングモール内の複数の商品が陳列される複数の売場を含む第１１画像及び第１２画像を各々撮影する。
【０２３５】
他の一例をあげると、前記サーバ（１００）は、第２１カメラ及び第２２カメラを介してオフライン上の複数の売場を含む第２１画像及び第２２画像を各々撮影する（Ｓ９１０）。
【０２３６】
以後、前記サーバ（１００）は、前記撮影された第１画像及び第２画像においてピクセルの方向性を基準として前記第１画像及び第２画像が重畳される重畳領域を獲得する。
【０２３７】
また、前記サーバ（１００）は、前記獲得された重畳領域を基準として、前記第１画像及び第２画像を合成してパノラマ画像（または３Ｄパノラマ画像／パノラマ画像情報）を生成する。
【０２３８】
この時、前記サーバ（１００）は、予め公知された様々な合成方法によって前記撮影された第１画像及び第２画像を合成してパノラマ画像を生成することができる。
また、前記サーバ（１００）を使用言語別に各のパノラマ画像を生成することもできる。
【０２３９】
一例をあげると、前記サーバ（１００）は、前記撮影された第１１画像及び第１２画像の重畳される重畳領域を基準として、前記第１１画像及び第１２画像を合成して第１の３Ｄパノラマ画像を生成する。
【０２４０】
他の一例をあげると、前記サーバ（１００）は、前記撮影された第２１画像及び第２２画像の重畳される重畳領域を基準として、前記第２１画像及び第２２画像を合成して第２の３Ｄパノラマ画像を生成する（Ｓ９２０）。
【０２４１】
以後、前記サーバ（１００）は、前記パノラマ画像内に含まれた一つ以上のオブジェクトを各々認識する。ここで、前記オブジェクトは、前記オフライン上に位置する各の売場であることがある。
即ち、前記サーバ（１００）は、前記パノラマ画像内に含まれた一つ以上の売場を各々認識する。
【０２４２】
一例をあげると、前記サーバ（１００）は、前記第１の３Ｄパノラマ画像に含まれた大型ショッピングモール内の第１乃至第６売場を各々認識する。
【０２４３】
他の一例をあげると、前記サーバ（１００）は、前記第２の３Ｄパノラマ画像に含まれた複数の売場（例えば、オフライン上に位置する第１内科医院、第２薬局、第１コンビニ、第１自動車、第１形成外科、第２形成外科、第２薬局、第１整形外科、第２コンビニなどを含む）を各々認識する（Ｓ９３０）。
【０２４４】
以後、前記サーバ（１００）は、前記認識された一つ以上のオブジェクトに該当する売場で利用可能の一つ以上のクーポン及び／または商品券（または、オブジェクト別の利用可能のクーポン／商品券）を確認する。
【０２４５】
また、前記サーバ（１００）は、前記パノラマ画像と前記確認された当該オブジェクトで利用可能の一つ以上のクーポン及び／または商品券における情報（または、オブジェクト別の利用可能のクーポン／商品券における情報）を連動して保存する。
【０２４６】
一例をあげると、前記サーバ（１００）は、前記ショッピングモール内の第１売場で利用可能の第１クーポンと第２クーポン、第２売場で利用可能の第２クーポンと第１商品券、第３売場で利用可能の第１クーポンと第２クーポンと第３クーポン、第４売場で利用可能の第１商品券と第２商品券、第５売場で利用可能の第３クーポンと第１商品券、第６売場で利用可能の第２クーポンと第２商品券を各々確認して、前記第１の３Ｄパノラマ画像と前記第１乃至第６売場別のクーポン／商品券における情報を連動して保存する。
【０２４７】
他の一例をあげると、前記サーバ（１００）は、前記第１内科医院で利用可能の第１クーポン、第１コンビニと第２コンビニで利用可能の第２クーポンと第１商品券、第１形成外科と第２形成外科で利用可能の第３クーポンと第２商品券、第１整形外科で利用可能の第１クーポンと第２クーポンを各々確認して、前記第２の３Ｄパノラマ画像と前記売場別のクーポン／商品券における情報を連動して保存する（Ｓ９４０）。
【０２４８】
以後、購買端末（２００）に予め設置されたアプリが実行される場合、前記購買端末（２００）は、アプリの実行結果の画面を表示する。
【０２４９】
ここで、前記アプリの実行結果の画面は、３Ｄパノラマ画像を表示するためのパノラマ画像情報項目、３Ｄパノラマ画像を検索するための検索項目、アプリの機能を設定するための設定項目、発行してもらったり、購買したりしたクーポン、商品情報を確認するためのマイページ項目などを含む。
この時、前記購買端末（２００）は、バックグラウンド状態で、当該アプリに関するサーバ（１００）と通信する。
【０２５０】
また、前記購買端末（２００）に予め設置されたアプリが実行される場合、または、前記アプリの実行結果の画面のうち、予め設定されたパノラマ画像情報項目が選択される場合、前記購買端末（２００）は、購買端末（２００）の位置情報、購買端末（２００）の識別情報などを前記サーバ（１００）へ伝送する。
【０２５１】
ここで、前記購買端末（２００）の識別情報は、ＭＤＮ、モバイルＩＰ、モバイルＭＡＣ、Ｓｉｍ（加入者識別モジュール）カード固有情報、シリアル番号などを含む。
【０２５２】
一例をあげると、図３に図示されたように、前記購買端末（２００）に予め設置されたショッピング情報アプリが実行される時、前記購買端末（２００）は、ショッピング情報画面（３１０）を表示し、前記ショッピング情報アプリに関する前記サーバ（１００）とバックグラウンド状態で、通信連結する。
【０２５３】
ここで、前記ショッピング情報画面（３１０）は、３Ｄパノラマ画像情報項目（３１１）、検索項目（３１２）、設定項目（３１３）、マイページ項目（３１４）などを含む。
【０２５４】
また、前記購買端末（２００）は、前記購買端末（２００）の位置情報（例えば、大韓民国ソウル特別市江南区狎鴎亭路１２３４通り）、前記購買端末（２００）の識別情報などを前記サーバ（１００）へ伝送する（Ｓ９５０）。
【０２５５】
以後、前記サーバ（１００）は、前記購買端末（２００）から伝送される前記購買端末（２００）の位置情報、前記購買端末（２００）の識別情報などを受信する。
【０２５６】
また、前記サーバ（１００）は、予め保存された複数の３Ｄパノラマ画像情報のうち、前記購買端末（２００）の位置情報に対応する３Ｄパノラマ画像情報を確認する。
【０２５７】
また、前記サーバ（１００）は、前記確認された前記購買端末（２００）の位置情報に対応する３Ｄパノラマ画像情報と連動して保存された当該３Ｄパノラマ画像情報内に含まれた少なくとも一つのオブジェクトに関する少なくとも一つのクーポン及び／または商品券における情報を確認する。
【０２５８】
この時、前記サーバ（１００）は、当該クーポン及び／または商品券における優先順位情報を一緒に確認することもできる。
【０２５９】
また、前記サーバ（１００）は、前記確認された前記購買端末（２００）の位置情報に対応する３Ｄパノラマ画像情報、当該３Ｄパノラマ画像情報と連動される少なくとも一つのクーポン及び／または商品券における情報（または当該３Ｄパノラマ画像情報内に含まれた少なくとも一つのオブジェクトに関する少なくとも一つのクーポン及び／または商品券における情報）、当該クーポン及び／または商品券における優先順位情報などを前記購買端末（２００）へ伝送する。
【０２６０】
一例をあげると、前記サーバ（１００）は、予め保存された複数の３Ｄパノラマ画像情報のうち、前記購買端末（２００）の位置情報（例えば、大韓民国ソウル特別市江南区狎鴎亭路１２３４通り）に対応するＡＢＣＤ大型ショッピングモールの３Ｄパノラマ画像情報（または、前記第１の３Ｄパノラマ画像情報）を確認する。
【０２６１】
また、前記サーバ（１００）は、前記確認されたＡＢＣＤ大型ショッピングモールの３Ｄパノラマ画像情報内に含まれた第１乃至第６売場を確認して、前記確認された第１乃至第６売場に関する少なくとも一つのクーポン／商品券（例えば、前記ショッピングモール内の第１売場で利用可能の第１クーポンと第２クーポン、第２売場で利用可能の第２クーポンと第１商品券、第２売場で利用可能の第１クーポンと第２クーポンと第３クーポン、第４売場で利用可能の第１商品券と第２商品券、第５売場で利用可能の第３クーポンと第１商品券、第６売場で利用可能の第２クーポンと第２商品券などを含む）を確認する。
【０２６２】
また、前記サーバ（１００）は、前記確認された第１乃至第６売場に関する少なくとも一つのクーポン／商品券における優先順位情報（例えば、１順位：第３クーポン、２順位：第１クーポン、第１商品券、３順位：第２クーポン、第２商品券などを含む）を確認する。
【０２６３】
また、前記サーバ（１００）は、前記確認された前記購買端末（２００）の位置情報（例えば、大韓民国ソウル特別市江南区狎鴎亭路１２３４通り）に対応するＡＢＣＤ大型ショッピングモールの３Ｄパノラマ画像情報（または、前記第１の３Ｄパノラマ画像情報）、前記確認された第１乃至第６売場に関する少なくとも一つのクーポン／商品券のうち、優先順位情報が１順位である第３クーポンにおける情報などを前記購買端末（２００）へ伝送する。
【０２６４】
他の一例をあげると、前記サーバ（１００）は、予め保存された複数の３Ｄパノラマ画像情報のうち、前記購買端末（２００）の位置情報（例えば、大韓民国ソウル特別市江南区狎鴎亭路１２３４通り）に対応する前記第２の３Ｄパノラマ画像情報を確認する。
【０２６５】
また、前記サーバ（１００）は、前記確認された第２の３Ｄパノラマ画像情報内に含まれた複数の売場を確認して、前記確認された複数の売場に関する少なくとも一つのクーポン／商品券（例えば、前記第１内科医院で利用可能の第１クーポン、第１コンビニと第２コンビニで利用可能の第２クーポンと第１商品券、第１形成外科と第２形成外科で利用可能の第３クーポンと第２商品券、第１整形外科で利用可能の第１クーポンと第２クーポンなどを含む）を確認する。
【０２６６】
また、前記サーバ（１００）は、前記確認された複数の売場に関する少なくとも一つのクーポン／商品券における優先順位情報（例えば、１順位：第２商品券、２順位：第２クーポン、３順位：第１クーポン、第３クーポン、第１商品券などを含む）を確認する。
【０２６７】
また、前記サーバ（１００）は、前記確認された前記購買端末（２００）の位置情報（例えば、大韓民国ソウル特別市江南区狎鴎亭路１２３４通り）に対応する前記第２の３Ｄパノラマ画像情報、前記複数の売場に関する少なくとも一つのクーポン／商品券における情報、前記複数の売場に関する少なくとも一つのクーポン／商品券における優先順位情報などを前記購買端末（２００）へ伝送する（Ｓ９６０）。
【０２６８】
以後、前記購買端末（２００）は、先に伝送された前記購買端末（２００）の位置情報に応じて、前記サーバ（１００）から伝送される前記購買端末（２００）の位置情報に対応する３Ｄパノラマ画像情報、当該３Ｄパノラマ画像情報と連動される少なくとも一つのクーポン及び／または商品券における情報（または当該３Ｄパノラマ画像情報内に含まれた少なくとも一つのオブジェクトに関する少なくとも一つのクーポン及び／または商品券における情報）、当該クーポン及び／または商品券における優先順位情報などを受信する。
【０２６９】
また、前記購買端末（２００）は、前記受信された前記購買端末（２００）の位置情報に対応する３Ｄパノラマ画像情報、前記受信された当該３Ｄパノラマ画像情報と連動される少なくとも一つのクーポン及び／または商品券における情報などを表示する。
【０２７０】
この時、前記購買端末（２００）は、前記受信された当該クーポン及び／または商品券における優先順位情報を基に前記受信された当該３Ｄパノラマ画像情報と連動される少なくとも一つのクーポン及び／または商品券における情報のうち、一部のみを表示することもできる。
【０２７１】
一例をあげると、図１０に図示されたように、前記購買端末（２００）は、前記伝送された前記購買端末（２００）の位置情報に応じて、前記サーバ（１００）から伝送される前記購買端末（２００）の位置情報（例えば、大韓民国ソウル特別市江南区狎鴎亭路１２３４通り）に対応するＡＢＣＤ大型ショッピングモールの３Ｄパノラマ画像情報（または、前記第１の３Ｄパノラマ画像情報）（１０１０）、前記確認された第１乃至第６売場に関する少なくとも一つのクーポン／商品券のうち、優先順位情報が１順位である第３クーポンにおける情報（１０２０）などを表示する。
【０２７２】
他の一例をあげると、前記購買端末（２００）は、前記伝送された前記購買端末（２００）の位置情報に応じて、前記サーバ（１００）から伝送される前記購買端末（２００）の位置情報（例えば、大韓民国ソウル特別市江南区狎鴎亭路１２３４通り）に対応する前記第２の３Ｄパノラマ画像情報、前記複数の売場に関する少なくとも一つのクーポン／商品券における情報（例えば、前記第１内科医院で利用可能の第１クーポン、第１コンビニと第２コンビニで利用可能の第２クーポンと第１商品券、第１形成外科と第２形成外科で利用可能の第３クーポンと第２商品券、第１整形外科で利用可能の第１クーポンと第２クーポンなどを含む）、前記複数の売場に関する少なくとも一つのクーポン／商品券における優先順位情報（例えば、１順位：第２商品券、２順位：第２クーポン、３順位：第１クーポン、第２クーポン、第１商品券などを含む）などを受信する。
【０２７３】
図１１に図示されたように、前記購買端末（２００）は、前記受信された情報のうち、前記購買端末（２００）の位置情報（例えば、大韓民国ソウル特別市江南区狎鴎亭路１２３４通り）に対応する前記第２の３Ｄパノラマ画像情報（１１１０）を表示する。
【０２７４】
また、前記図１１に図示されたように、前記購買端末（２００）は、前記受信された情報のうち、前記複数の売場に関する少なくとも一つのクーポン／商品券における優先順位情報を基に１順位である第２商品券における情報（１１２０）を表示する（Ｓ９７０）。
【０２７５】
以後、前記購買端末（２００）に表示される少なくとも一つのクーポン及び／または商品券における情報のうち、特定のクーポン（または特定商品券）が選択される場合、前記購買端末（２００）は、前記購買端末（２００）に表示されている３Ｄパノラマ画像情報に含まれた複数のオブジェクト（または売場）のうち、前記選択された特定のクーポン（または特定商品券）が利用できる少なくとも一つの売場における売場情報を表示する。
【０２７６】
この時、前記購買端末（２００）は、拡張現実機能を用いて前記選択された特定のクーポン(または特定商品券)が利用できる少なくとも一つの売場における売場情報を表示することができる。
ここで、前記売場情報は、売場名、当該売場の運営時間情報、売場の位置情報、売場の電話番号、当該売場で提供する商品情報／サービス情報などを含む。
【０２７７】
また、前記商品情報は、商品名、商品固有コード、商品イメージ、商品説明情報、商品における体験情報、商品における評価情報などを含む。
また、前記サービス情報は、サービス名、サービス固有コード、サービスの基本イメージ、サービス説明情報、サービスにおける体験情報、サービスにおける評価情報などを含む。
【０２７８】
一例をあげると、前記図１０に図示された情報等のうち、前記第３クーポンにおける情報（１０２０）が選択される時、図１２に図示されたように、前記購買端末（２００）は、前記ＡＢＣＤ大型ショッピングモールの３Ｄパノラマ画像情報（１０１０）に含まれた第１乃至第６売場のうち、前記選択された第３クーポンが利用できる前記第３売場における第３売場情報（１２１０）と前記第５売場における第５売場情報（１２２０）を表示する。
【０２７９】
この時、前記購買端末（２００）は、前記図１２に図示されたように前記ＡＢＣＤ大型ショッピングモールの３Ｄパノラマ画像情報（１０１０）が表示されている状態で、ポップアップ画面（または、ポップアップ型）で前記第３売場における第３売場情報（１２１０）と前記第５売場における第５売場情報（１２２０）を表示するか、または、新しい画面上に前記第３売場における第３売場情報と前記第５売場における第５売場情報を表示することもできる。
【０２８０】
他の一例をあげると、前記図１１に図示された情報等のうち、前記第２商品券における情報（１１２０）が選択される時、図１３に図示されたように、前記購買端末（２００）は、前記ロードビュー型の第２の３Ｄパノラマ画像情報（１１１０）に含まれた複数の売場のうち、前記選択された第２商品券が利用できる第１形成外科における売場情報（１３１０）及び第２形成外科における売場情報（１３２０）を表示する（Ｓ９８０）。
【０２８１】
以後、前記購買端末（２００）に表示される少なくとも一つの売場における売場情報のうち、特定売場情報が選択される場合（または、前記特定売場情報が選択された後、当該特定売場情報に接して表示される予め設定されたボタン｛または、ダウンロードボタン／購買ボタン）が選択される場合｝、前記購買端末（２００）は、前記選択された特定のクーポン、または、特定商品券における発行機能、または、決済後発行機能を遂行する。
【０２８２】
即ち、前記購買端末（２００）に表示される少なくとも一つの売場における売場情報のうち、特定売場情報が選択される場合（または、前記特定売場情報が選択された後、当該特定売場情報に接して表示される予め設定されたダウンロードボタンが選択される場合）、前記購買端末（２００）は、前記選択された特定売場情報（または、前記選択されたボタン情報）を前記サーバ（１００）へ伝送する。
【０２８３】
また、前記サーバ（１００）は、前記購買端末（２００）から伝送される前記選択された特定売場情報（または、前記選択されたボタン情報）を基に前記特定売場情報（または、前記選択されたボタン情報）に対応する当該特定売場で使える特定のクーポン｛または、前記選択された特定のクーポン（例えば、割引クーポン、無料クーポンなどを含む）｝を前記購買端末（２００）に発行する。
【０２８４】
また、前記購買端末（２００）は、前記サーバ（１００）から発行される当該特定売場で利用可能の前記特定のクーポン（例えば、割引クーポン、無料クーポンなどを含む）を保存する。
【０２８５】
また、前記購買端末（２００）に表示される少なくとも一つの売場における売場情報のうち、特定売場情報が選択される場合（または、前記特定売場情報が選択された後、当該特定売場情報に接して表示される予め設定された購買ボタン／決済ボタン）が選択される場合、前記購買端末（２００）は、前記サーバ（１００）と決済サーバ（３００）と販売端末（４００）との連動によって、当該特定売場情報に対応する特定売場で利用可能の特定商品券における決済機能を遂行する。
【０２８６】
また、決済機能が正常的に遂行された場合、前記サーバ（１００）は、前記選択された特定売場情報（または、前記選択されたボタン情報）を基に前記特定売場情報（または、前記選択されたボタン情報）に対応する当該特定売場で使える特定商品券を前記購買端末（２００）に発行する。
【０２８７】
また、前記購買端末（２００）は、前記サーバ（１００）から発行される当該特定売場で利用可能の前記特定商品券を保存する。
【０２８８】
一例をあげると、前記図１２に図示された前記選択された第３クーポンが利用できる前記第３売場における第３売場情報（１２１０）と前記第５売場における第５売場情報（１２２０）のうち、前記第３売場情報（１２１０）が選択される時、前記購買端末（２００）は、前記サーバ（１００）から発行される前記第３売場及び第５売場で使える前記第３クーポンを受信し、前記受信された第３クーポンを保存する。
【０２８９】
他の一例をあげると、前記図１３に図示された前記選択された第２商品券が利用できる前記第１形成外科における売場情報（１３１０）及び第２形成外科における売場情報（１３２０）のうち、予め設定された購買ボタンが選択される時、前記購買端末（２００）は、前記サーバ（１００）と前記決済サーバ（３００）と前記販売端末（４００）との連動によって、前記選択された第２商品券に対応する決済金額における決済機能を遂行する。
【０２９０】
また、前記決済機能が正常的に遂行された以後、前記購買端末（２００）は、前記サーバ（１００）から発行される前記第１形成外科及び前記第２形成外科で使える前記第２商品券を受信し、前記受信された第２商品券を保存する（Ｓ９９０）。
【０２９１】
本発明の実施例は、先に、説明したように、商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示して、実際のデパート、ショッピングモール、街などで見るビューをそのまま提供しながら、オフラインで提供する商品や売場に関する付加的情報を簡単で便利に検索、及び検索結果を確認することができる。
【０２９２】
また、本発明の実施例は、先に、説明したように、商品が陳列された売場を含むショッピングモールや売場が位置する街におけるロードビュー上の画像情報に当該画像情報内に含まれた売場で利用可能のクーポンや商品券を表示し、前記クーポンや商品券が選択される時、前記クーポンや商品券が使える一つ以上の売場を表示して当該クーポンを端末に発行するか、当該商品券における決済機能を遂行した後、決済完了した当該商品券を前記端末に発行して、ユーザーの便宜性及び満足感を向上させ、事業主の売上をあげることができる。
【０２９３】
前述の内容は、本発明の属する技術分野で通常の知識を有する者であるならば、本発明の本質的特性から外れない範囲で修正及び変形が可能であるだろう。従って、本発明に開示された実施例等は、本発明の技術事象を限定するためではなく、説明するためであり、このような実施例によって本発明の技術事象の範囲が限定されることはない。本発明の保護範囲は、下の請求の範囲によって解釈されるべきであり、それと同等の範囲内にある全ての技術事象は、本発明の権利範囲に含まれると解釈すべきである。
【産業上の利用可能性】
【０２９４】
本発明は、商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示することによって、実際のデパート、ショッピングモール、街などで見るビューをそのまま提供しながら、オフラインで提供する商品や売場に関する付加的情報を簡単で便利に検索、及び検索結果を確認できることであって、パノラマ画像分野、ショッピング情報提供分野、マーケッティング分野、端末分野、サーバ分野などで広範囲に利用できる。
【符号の説明】
【０２９５】
１０：ショッピング情報提供システム
１００：サーバ
２００：購買端末
３００：決済サーバ
３１０：ショッピング情報画面
３１１：３Ｄパノラマ画像情報項目
３１２：検索項目
３１３：設定項目
３１４：マイページ項目
４１０：３Ｄパノラマ画像情報
４００：販売端末
５００：第２の３Ｄパノラマ画像情報
６００：検索語入力画面
７００：第３−１パノラマ画像情報
７１０：アイコン
７２０：第３−２パノラマ画像情報
８００：第４の３Ｄパノラマ画像情報
１０１０：３Ｄパノラマ画像情報
１０２０：第３クーポンにおける情報
１１１０：第２の３Ｄパノラマ画像情報
１１２０：第２商品券における情報
１２１０：第３売場情報
１２２０：第５売場情報
１３１０：第１形成外科における売場情報
１３２０：第２形成外科における売場情報
【要約】
【課題】商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示する拡張現実基盤のショッピング情報提供システム及びその制御方法を提供する。
【解決手段】商品が陳列された売場を含むショッピングモールや売場が位置する街におけるロードビュー上の画像情報に、探そうとするオブジェクトを検索すると、前記検索されたオブジェクトに対応する商品やサービスが存在する当該画像情報を表示することによって、実際のデパート、ショッピングモール、街などで見るビューをそのまま提供しながら、オフラインで提供する商品や売場に関する付加的情報を簡単で便利に検索、及び検索結果を確認することができる。
【選択図】図１【図１】
0006051323.tif 000002
【図２】
0006051323.tif 000003
【図３】
0006051323.tif 000004
【図４】
0006051323.tif 000005
【図５】
0006051323.tif 000006
【図６】
0006051323.tif 000007
【図７】
0006051323.tif 000008
【図８】
0006051323.tif 000009
【図９】
0006051323.tif 000010
【図１０】
0006051323.tif 000011
【図１１】
0006051323.tif 000012
【図１２】
0006051323.tif 000013
【図１３】
0006051323.tif 000014